(57)【要約】【課題】乳幼児の身体に対するフィット性が高く、かつ、長時間の使用でも乳幼児の適切な保持位置を維持できること。【解決手段】環状をなすベビースリング１において、乳幼児が収容される乳幼児保持部１０は、環状の周方向の長さ方向Ｌに沿って複数本平行に配置した、環状の周方向の長さ方向Ｌに対する伸縮性を有する伸縮性帯状体Ａに対して、その長さ方向に直角な幅方向Ｗに沿って複数本平行に伸縮性のない非伸縮性帯状体Ｂを格子状に織り込んで形成されたものであり、また、使用者Ｔの肩に掛けられて乳幼児保持部１０に収容される乳幼児を支持する支持部２０も、乳幼児保持部１０の環状の周方向の長さ方向Ｌの両端から一体に連続して、環状の周方向の長さ方向Ｌに沿って複数本平行に配置した長さ方向Ｌに対する伸縮性を有する伸縮性帯状体Ａとその長さ方向Ｌに直角な幅方向Ｗに沿って複数本平行に配置した伸縮性のない非伸縮性帯状体Ｂが格子状に織り込まれて形成されたものである。【選択図】図６
2015192706.tif 000002
【特許請求の範囲】
【請求項１】
全体が環状をなすベビースリングであって、前記ベビースリングには、
前記環状の周方向の長さ方向に沿って複数本平行に配置した前記周方向に伸縮性を有する生地からなる伸縮性帯状体に対して、前記長さ方向に直角な幅方向に沿って複数本平行に伸縮性のない非伸縮性帯状体を格子状に配設した乳幼児が収容される乳幼児保持部と、
前記乳幼児保持部の長さ方向の両端に連続して形成され、使用者の肩に掛けられて前記乳幼児保持部に収容される乳幼児を支持する支持部と
を具備することを特徴とするベビースリング。
【請求項２】
全体が環状をなすベビースリングであって、前記ベビースリングには、
前記環状の周方向の長さ方向に沿って複数本平行に配置した前記周方向に伸縮性のない生地からなる非伸縮性帯状体に対して、前記長さ方向に直角な幅方向に沿って複数本平行に前記周方向の長さ方向に対する伸縮性を有する伸縮性帯状体を格子状に配設した乳幼児が収容される乳幼児保持部と、
前記乳幼児保持部の長さ方向の両端に連続して形成され、使用者の肩に掛けられて前記乳幼児保持部に収容される乳幼児を支持する支持部と
を具備することを特徴とするベビースリング。
【請求項３】
全体が環状をなすベビースリングであって、前記ベビースリングには、
前記環状の周方向の長さ方向に沿って複数本平行に配置した前記周方向に伸縮性を有する生地からなる伸縮性帯状体に対して、前記長さ方向に直角な幅方向に沿って複数本平行に前記周方向の長さ方向に直角な幅方向に対する伸縮性を有する伸縮性帯状体を格子状に配設した乳幼児が収容される乳幼児保持部と、
前記乳幼児保持部の長さ方向の両端に連続して形成され、使用者の肩に掛けられて前記乳幼児保持部に収容される乳幼児を支持する支持部と
を具備することを特徴とするベビースリング。
【請求項４】
前記支持部は、前記乳幼児保持部の長さ方向の両端を連続して形成したことを特徴とする請求項１乃至請求項３の何れか１つに記載のベビースリング。
【請求項５】
前記乳幼児保持部は、前記環状の周方向の長さ方向に対して直角方向の幅方向両縁に伸縮性のないパイピングによりパイピング処理が施されていることを特徴とする請求項１乃至請求項４の何れか１つに記載のベビースリング。
【請求項６】
前記乳幼児保持部は、前記環状の長さ方向の中央部分を最大幅とし、また、その両端部分を長さ方向に沿って順次幅狭とし、環状の長さ方向に直角に２つに折り畳んで重ねたとき、幅方向中央が下側に凸に湾曲する形状に形成されていることを特徴とする請求項１乃至請求項５の何れか１つに記載のベビースリング。
【発明の詳細な説明】
【技術分野】
【０００１】
本発明は、乳幼児を抱く際に、乳幼児を抱持する補助具として用いられるベビースリングに関するもので、特に、乳幼児の身体に対するフィット性が高く、かつ、長時間の使用でも乳幼児の適切な保持位置を維持できるベビースリングに関するものである。
【背景技術】
【０００２】
近年、乳幼児の体が広い面積ですっぽり包まれると共に、使用者に乳幼児を密着させて保持することで乳幼児と使用者の双方に高い密着感や安心感が得られること、また、２本の肩ベルトによるリュック式ベビーキャリアに比べると構造が単純で慣れれば使用方法が簡単であること、更には軽量で携帯時に嵩張らないことから、乳幼児幼を抱持する補助具としてベビースリングに注目が集まっている。
そして、このようなベビースリングとしては、ネットや帯状の布を環状に形成し、使用者の一方の肩にたすき掛けにして乳幼児の身体を包み込むようにして保持するものが一般的に知られている。
【０００３】
ここで、ネットを環状に形成したベビースリングは、１本の糸（紐条）を所定間隔で編成したものであることから、丈夫で伸縮性がある一方で、ネットが伸びやすい傾向にあり、長時間の使用で乳幼児の保持位置が低くなって使用者への負担が大きくなったり、長期の使用でネットが伸びきり現実的に使用できる寿命が短かかったりすることがある。また、乳幼児の身体や使用者の肩に紐条が食い込んで長時間の使用で違和感を生じさせることがあった。
【０００４】
一方、帯状の布を環状に形成したベビースリングとしては、平面的な布で乳幼児を包み込むものが多く普及しているが、このような平面的な布で乳幼児を包み込むスリングでは、乳幼児の身体や使用者の肩への食い込みが少ないものの、側縁が大きく開いて乳幼児の身体に対するフィット性が悪いという問題がある。
【０００５】
そこで、出願人らは、先に、特許文献１において、環状本体（１０）における長尺のシート(１１)の幅方向にて、メッシュ状シート(１３)の両側に非伸縮性の織布(１４)が縫着された複合シートを用いたベビースリングを開示している。
この特許文献１のベビースリングによれば、長尺のシート(１１)の幅方向の中央部がメッシュ状シート(１３)で形成されているために通気性が良く、メッシュ状シート(１３)は柔軟であることから、臀部の丸みにフィットして包み込むように支えることで落下を防止する効果もあり、さらに、メッシュ状シート(１３)の両端に非伸縮性の織布(１４)を用いることで、環状本体(１０)の強度を確保するとともに、メッシュ状シート(１３)の過剰な伸びを防いで保持安定性を高めることができる。ここで、メッシュ状シート(１３)は、目視可能な大きさの穴が多数形成されたシートであり、糸を編成した所謂「ネット」と呼ばれるものも含まれる。なお、（ ）書きの番号は、特許文献１の実施例の説明で使用された符号である。
【先行技術文献】
【特許文献】
【０００６】
【特許文献１】特開２００６−２３１０３３号公報
【発明の概要】
【発明が解決しようとする課題】
【０００７】
しかしながら、特許文献１においては、乳幼児の身体に直接当てられ乳幼児の体重が直接加わる長尺のシート(１１)の幅方向中央側一面がメッシュ状シート(１３)で構成されているため、その弾性変化が大きい程、収容された乳幼児が動くたびにメッシュ状シート(１３)が伸縮し、乳幼児の適切な保持位置を維持するのが困難であることが懸念される。また、メッシュ状シート(１３)と非伸縮性の織布(１４)性が縫い合わされているため、その境界部にストレスが加わりやすく、部分的に縫い合わせが外れて一部が破断したりする可能性も否めない。
【０００８】
そこで、本発明は、乳幼児の身体に対するフィット性が高く、かつ、長時間の使用でも乳幼児の適切な保持位置を維持できるベビースリングの提供を課題とするものである。
【課題を解決するための手段】
【０００９】
請求項１の発明のベビースリングは、全体が環状をなすベビースリングであって、乳幼児が収容される乳幼児保持部が、環状の周方向の長さ方向に沿って複数本平行に配置した前記環状の周方向の長さ方向に対する伸縮性を有する伸縮性帯状体に対して、その長さ方向に直角な幅方向に沿って複数本平行に伸縮性のない非伸縮性帯状体を格子状に配設し、前記乳幼児保持部の前記環状の周方向の長さ方向の両端に連続して、使用者の肩に掛けられて前記乳幼児保持部に収容される乳幼児を支持する支持部が形成されたものである。
【００１０】
ここで、上記環状の周方向の長さ方向に対する伸縮性を有する伸縮性帯状体は、特定の方向のみに弾性に富んで弾性変形して伸縮性が大きい帯状体を、その大きな伸縮方向を環状の周方向の長さ方向に合わせて配置することによって、環状の周方向の長さ方向に対して大きく伸縮するものである。この伸縮性帯状体は、特定方向に伸縮性を有するものあれば、それを形成する材質は特に限定されるものではなく、例えば、ポリウレタン等を含む布帛、ニット、ワッフル等が使用される。なお、乳幼児の重みによって環状の周方向の長さ方向のみに大きな伸びを形成できるにようにその弾性変化を設定できれば、その長さ方向に対して直角な幅方向は多少の伸縮性があってもよい。即ち、この伸縮性は、弾性率で表現するものではなく、特定の方向のみに弾性に富んで伸縮し易いことを示す。
また、上記伸縮性のない非伸縮性帯状体は、伸縮性を有しないものであり、それを形成する材質は特に限定されるものではなく、例えば、各種布帛等が使用される。
【００１１】
そして、上記乳幼児保持部は、乳幼児が収容されて乳幼児を保持するものであり、環状の周方向の長さ方向に沿って複数本平行に配置した前記環状の周方向の長さ方向に対する伸縮性を有する伸縮性帯状体に対して、その長さ方向に直角な幅方向に沿って複数本平行に伸縮性のない非伸縮性帯状体を格子状に織り込んで形成することで、乳幼児の重みで環状の周方向の長さ方向に伸縮性帯状体を伸び変形させる一方で、伸縮性帯状体に対して格子状に織り込んだ非伸縮性帯状体によって、伸縮性帯状体の過剰な伸びを制限するものである。このとき、環状の周方向の長さ方向に対して伸縮性を有する伸縮性帯状体が環状の周方向の長さ方向に沿って配置されているため、環状の周方向の長さ方向に対する伸縮性は連続的である。この乳幼児保持部は、乳幼児の体重を保持できる程度の強度を有していれば、それを構成する各伸縮性帯状体及び各非伸縮性帯状体はそれぞれ全体を同一の素材で形成しても良いし、異なる素材を組み合わせても良い。
【００１２】
また、上記支持部は、前記乳幼児保持部の前記環状の周方向の長さ方向の両端に連続して形成され、使用者の片肩に掛けられて前記乳幼児保持部に収容される乳幼児を支持するものであり、前記乳幼児保持部に収容された乳幼児の体重を支持できる程度の強度を有していれば、それを形成する材質は特に限定されるものではなく、例えば、各種布帛等が使用され、前記乳幼児保持部と同一の素材で形成しても良いし、異なる素材であっても良く、ここでは、その伸縮性の有無は特に問われない。また、前記乳幼児保持部から一体に連続形成されていてもよいし、前記乳幼児保持部に対して縫製等によって連結させることで連続形成してもよい。
【００１３】
そして、本発明を実施する場合には、前記環状の周方向の伸縮性帯状体の長さ方向に対し、非伸縮性帯状体と一体にすべく、非伸縮性糸によって前記伸縮性帯状体の長さ方向に対し直角に縫製して、伸縮性帯状体に対して伸縮自在とし、その長さ方向に直角な幅方向の非伸縮性帯状体を伸縮しないようにすることもできる。特に、型くずれ等を防止し、見栄えを良くすることができる。
なお、上記全体が環状をなすベビースリングとは、縫製等によって一体に環状に形成されたベビースリング、または、リング等の連結部材によって環状に連結自在としたベビースリングを示す。
【００１４】
請求項２の発明のベビースリングは、全体が環状をなすベビースリングであって、乳幼児が収容される乳幼児保持部が、環状の周方向の長さ方向に沿って複数本平行に配置した伸縮性のない非伸縮性帯状体に対して、その長さ方向に直角な幅方向に沿って複数本平行に前記環状の周方向の長さ方向に対する伸縮性を有する伸縮性帯状体を格子状に配設し、前記乳幼児保持部の前記環状の周方向の長さ方向の両端に連続して、使用者の肩に掛けられて前記乳幼児保持部に収容される乳幼児を支持する支持部が形成されたものである。
【００１５】
ここで、請求項１と相違する構成要件についてのみ説明すると、上記乳幼児保持部は、乳幼児が収容されて乳幼児を保持するものであり、環状の周方向の長さ方向に沿って複数本平行に配置した伸縮性のない非伸縮性帯状体に対して、その長さ方向に直角な幅方向に沿って複数本平行に前記環状の周方向の長さ方向に対する伸縮性を有する伸縮性帯状体を格子状に織り込んで形成することで、乳幼児の重みで環状の周方向の長さ方向に伸縮性帯状体を伸び変形させる一方で、伸縮性帯状体に対して格子状に織り込まれた非伸縮性帯状体によって、伸縮性帯状体の過剰な伸びを制限するものである。このとき、環状の周方向の長さ方向に対する伸縮性を有する伸縮性帯状体が幅方向に沿って配置されているため、環状の周方向の長さ方向に対する伸縮性は断続的である。この乳幼児保持部は、乳幼児の体重を保持できる程度の強度を有していれば、それを構成する各伸縮性帯状体及び各非伸縮性帯状体はそれぞれ全体を同一の素材で形成しても良いし、異なる素材を組み合わせても良い。
また、本発明を実施する場合には、前記環状の周方向の非伸縮性帯状体の長さ方向に対し、伸縮性帯状体と一体にすべく、非伸縮性糸によって前記非伸縮性帯状体の長さ方向に対し直角に縫製して、伸縮性帯状体に対して伸縮自在とし、その長さ方向に直角な非伸縮性帯状体の長さ方向の非伸縮性帯状体を伸縮しないようにすることもできる。特に、型くずれ等を防止し、見栄えを良くすることができる。
【００１６】
請求項３の発明のベビースリングは、全体が環状をなすベビースリングであって、乳幼児が収容される乳幼児保持部が、環状の周方向の長さ方向に沿って複数本平行に配置した伸縮性を有する伸縮性帯状体に対して、その長さ方向に直角な幅方向に沿って複数本平行に前記長さ方向に直角な幅方向に対する伸縮性を有する伸縮性帯状体を格子状に配設し、前記乳幼児保持部の前記周方向の長さ方向の両端に連続して、使用者の肩に掛けられて前記乳幼児保持部に収容される乳幼児を支持する支持部が形成されたものである。
【００１７】
ここで、上記長さ方向に直角な幅方向に対する伸縮性を有する伸縮性帯状体は、特定の方向のみに弾性に富んで弾性変形して伸縮性が大きい帯状体を、その大きな伸縮方向を環状の周方向の長さ方向に直角な幅方向に合わせて配置することによって、長さ方向に直角な幅方向に対して大きく伸縮するものである。この伸縮性帯状体は、特定方向に伸縮性を有するものあれば、それを形成する材質は特に限定されるものではなく、例えば、ポリウレタン等を含む布帛、ニット、ワッフル等が使用される。なお、乳幼児の重みによって幅方向に大きな伸びを形成できるにようにその弾性変化を設定できれば、幅方向に直角な長さ方向は多少の伸縮性があってもよい。即ち、この伸縮性は、弾性率で表現するものではなく、特定の方向のみに弾性に富んで伸縮し易いことを示す。
【００１８】
そして、上記乳幼児保持部は、乳幼児が収容されて乳幼児を保持するものであり、環状の周方向の長さ方向に沿って複数本平行に配置した伸縮性を有する伸縮性帯状体に対して、その長さ方向に直角な幅方向に沿って複数本平行に前記長さ方向に直角な幅方向に対する伸縮性を有する伸縮性帯状体を格子状に織り込んで形成することで、乳幼児の重みで幅方向に対して伸縮性帯状体を伸び変形させる一方で、伸縮性帯状体に対して格子状に織り込まれた伸縮性を有する伸縮性帯状体によって、伸縮性帯状体の過剰な伸びを制限するものである。このとき、幅方向に対して伸縮性を有する伸縮性帯状体が幅方向に沿って配置されているため、幅方向に対する伸縮性は連続的である。この乳幼児保持部は、乳幼児の体重を保持できる程度の強度を有していれば、それを構成する各伸縮性帯状体及び各非伸縮性帯状体はそれぞれ全体を同一の素材で形成しても良いし、異なる素材を組み合わせても良い。
【００１９】
また、上記支持部は、前記乳幼児保持部の前記環状の周方向の長さ方向の両端に連続して形成され、使用者の片肩に掛けられて前記乳幼児保持部に収容される乳幼児を支持するものであり、前記乳幼児保持部に収容された乳幼児の体重を支持できる程度の強度を有していれば、それを形成する材質は特に限定されるものではなく、例えば、各種布帛等が使用され、前記乳幼児保持部と同一の素材で形成しても良いし、異なる素材であっても良く、ここでは、その伸縮性の有無は特に問われない。また、前記乳幼児保持部から一体に連続形成されていてもよいし、前記乳幼児保持部に対して縫製等によって連結させることで連続形成してもよい。
【００２０】
さらに、本発明を実施する場合には、伸縮性糸によって一方の伸縮性帯状体の長さ方向に対して直角に他の伸縮性帯状体を縫製し、伸縮性帯状体に対して伸縮自在とし、その伸縮性を有する伸縮性帯状体の長さ方向及びその長さ方向に直角な幅方向の伸縮性帯状体を伸縮しないようにすることができ、環状の周方向の長さ方向に対する伸縮性及びそれに直角な幅方向に対する伸縮性を単独で、または両者を同時に任意に設定することもできる。
なお、上記環状をなすベビースリングとは、縫製等によって一体に環状に形成されたベビースリング、または、リング等の連結部材によって環状に連結自在としたベビースリングを示す。
【００２１】
請求項４の発明のベビースリングの前記支持部は、前記乳幼児保持部の長さ方向の両端から一体に連続して、前記伸縮性帯状体と前記非伸縮性帯状体とが格子状に配設されているものであり、前記乳幼児保持部を構成する格子状に織り込まれた前記伸縮性帯状体及び前記非伸縮性帯状体から連続して形成されたものである。
【００２２】
請求項５の発明のベビースリングの前記乳幼児保持部は、前記環状の周方向の長さ方向に対して直角方向の幅方向両縁に伸縮性のないパイピングによりパイピング処理が施されているものであり、環状の周方向の長さ方向に対して直角の幅方向両縁において伸縮性帯状体や非伸縮性帯状体の端を伸縮性のないバイヤステープや布等で縫製等にとってくるむことによって、幅方向中央側に重心位置がきて乳幼児の重みで沈み易く、乳幼児の安定した位置が保持できるようにしたものである。しかし、本発明を実施する場合には、幅方向中央側に重心位置がきて乳幼児の重みで沈み易く、乳幼児の安定した位置が保持できるようにその弾性変化が設定されればよい。
【００２３】
請求項６の発明のベビースリングの乳幼児保持部は、前記環状の長さ方向の中央部分を最大幅とし、また、その両端部分を長さ方向に沿って順次幅狭とし、環状の長さ方向に直角に２つに折り畳んで重ねたとき、幅方向中央が下側に凸に湾曲する形状に形成されているものであり、幅方向中央側に重心位置がきて乳幼児の重みで沈み易く、乳幼児の安定した位置が保持できるようにしたものである。
ここで、幅方向Ｗ中央が下側に凸に湾曲する形状は、幅方向中央側に重心位置がきて乳幼児の重みで沈み易く、乳幼児の安定した位置が保持できるようにその重心位置となる深さに湾曲する形状に形成されていればよい。
【発明の効果】
【００２４】
請求項１の発明にかかるベビースリングによれば、乳幼児が収容される乳幼児保持部と、前記乳幼児保持部の環状の周方向の長さ方向の両端に連続して形成され、使用者の肩に掛けられて前記乳幼児保持部に収容される乳幼児を支持する支持部とを具備し、前記乳幼児保持部は、環状の周方向の長さ方向に沿って複数本平行に配置した前記環状の周方向の長さ方向に対する伸縮性を有する伸縮性帯状体に対して、その長さ方向に直角な幅方向に沿って複数本平行に伸縮性のない非伸縮性帯状体を格子状に織り込むことによって形成されたものである。
【００２５】
したがって、乳幼児保持部に収容される乳幼児の重みで伸縮性を有する伸縮性帯状体が環状の周方向の長さ方向に伸び変形し、乳幼児の姿勢や体型に合わせてフィットし、安定感のある保持ができる。特に、環状の周方向の長さ方向に対する伸縮性を有する伸縮性帯状体が環状の周方向の長さ方向に沿って配置されているため、環状の周方向の長さ方向に対する伸縮性は連続的であり、乳幼児の身体へのフィット性が高い。一方で、伸縮性帯状体に対して伸縮性のない非伸縮性帯状体が格子状に織り込まれていることによって、伸縮性帯状体の過剰な伸び変形が制限される。
【００２６】
これによって、長時間の連続使用で伸縮性帯状体の収縮性が弱まって伸びが大きくなることにより乳幼児の保持位置が次第に下降して使用者への負担が大きくなってしまう事態が防止され、安定的な保持が可能である。また、乳幼児の動きに応じて伸縮性帯状体が伸縮する一方で、非伸縮性帯状体によってその大きな伸び変形は制限されるため、乳幼児保持部に収容される乳幼児が動いても、乳幼児の過剰な沈み込みが防止され、乳幼児の適切な保持位置を維持しやすい。さらに、伸縮性帯状体と非伸縮性帯状体を格子状に織り込むことで、表裏面が伸縮性帯状体及び非伸縮性帯状体の２層構造となることから、一部が破断するという事態は少なく高い強度を確保できる。このため、耐久性や安全性が高い。
このようにして、乳幼児の身体に対するフィット性が高く、かつ、長時間の使用でも乳幼児の適切な保持位置を維持できるベビースリングとなる。
【００２７】
請求項２の発明にかかるベビースリングによれば、乳幼児が収容される乳幼児保持部と、前記乳幼児保持部の環状の周方向の長さ方向の両端に連続して形成され、使用者の肩に掛けられて前記乳幼児保持部に収容される乳幼児を支持する支持部とを具備し、前記乳幼児保持部は、環状の周方向の長さ方向に沿って複数本平行に配置した伸縮性のない非伸縮性帯状体に対して、その長さ方向に直角な幅方向に沿って複数本平行に前記長さ方向に対する伸縮性を有する伸縮性帯状体を格子状に織り込むことによって形成されたものである。
【００２８】
したがって、乳幼児保持部に収容される乳幼児の重みで伸縮性を有する伸縮性帯状体が環状の周方向の長さ方向に伸び変形し、乳幼児の姿勢や体型に合わせてフィットし、安定感のある保持ができる。一方で、伸縮性帯状体に対して伸縮性のない非伸縮性帯状体が格子状に織り込まれていることによって、伸縮性帯状体の過剰な伸び変形が制限される。
これによって、長時間の連続使用で伸縮性帯状体の収縮性が弱まって伸びが大きくなることにより乳幼児の保持位置が次第に下降して使用者への負担が大きくなってしまう事態が防止され、安定的な保持が可能である。特に、環状の周方向の長さ方向に対して伸縮性を有する伸縮性帯状体が幅方向に沿って配置されているため、環状の周方向の長さ方向に対する伸縮性は断続的なものであることから、長時間の連続使用による伸縮性帯状体の伸びは小さく、保持位置を極めて安定的に維持できる。また、乳幼児の動きに応じて伸縮性帯状体が伸縮する一方で、非伸縮性帯状体によってその大きな伸び変形は制限されるため、乳幼児保持部に収容される乳幼児が動いても、乳幼児の過剰な沈み込みが防止され、乳幼児の適切な保持位置を維持しやすい。さらに、伸縮性帯状体と非伸縮性帯状体を格子状に織り込むことで、表裏面が伸縮性帯状体及び非伸縮性帯状体の２層構造となることから、一部が破断するという事態は少なく高い強度を確保できる。このため、耐久性や安全性が高い。
このようにして、乳幼児の身体に対するフィット性が高く、かつ、長時間の使用でも乳幼児の適切な保持位置を維持できるベビースリングとなる。
【００２９】
請求項３の発明にかかるベビースリングによれば、乳幼児が収容される乳幼児保持部と、前記乳幼児保持部の環状の周方向の長さ方向の両端に連続して形成され、使用者の肩に掛けられて前記乳幼児保持部に収容される乳幼児を支持する支持部とを具備し、前記乳幼児保持部は、環状の周方向の長さ方向に沿って複数本平行に配置した伸縮性を有する伸縮性帯状体に対して、その長さ方向に直角な幅方向に沿って複数本平行に前記幅方向に対する伸縮性を有する伸縮性帯状体を格子状に織り込むことによって形成されたものである。
【００３０】
したがって、乳幼児保持部に収容される乳幼児の重みで伸縮性を有する伸縮性帯状体が幅方向及び環状の周方向に伸びて変形し、乳幼児の姿勢や体型に合わせてフィットし、安定感のある保持ができる。特に、環状の周方向及び幅方向に対する伸縮性を有する伸縮性帯状体が幅方向に沿って配置されているため、幅方向に対する伸縮性は連続的であり、乳幼児の身体へのフィット性が高い。一方で、伸縮性を有する伸縮性帯状体が格子状に織り込まれていることによって、伸縮性帯状体の過剰な伸び変形が制限される。
【００３１】
これによって、長時間の連続使用で伸縮性帯状体の収縮性が弱まって伸びが大きくなることにより乳幼児の保持位置が次第に下降して使用者への負担が大きくなってしまう事態が防止され、安定的な保持が可能である。また、乳幼児の動きに応じて伸縮性帯状体が伸縮する一方で、伸縮性帯状体を格子状に織り込むことによってその大きな伸び変形は制限されるため、乳幼児保持部に収容される乳幼児が動いても、乳幼児の過剰な沈み込みが防止され、乳幼児の適切な保持位置を維持しやすい。さらに、伸縮性帯状体を格子状に織り込むことで、表裏面が伸縮性帯状体の２層構造となることから、一部が破断するという事態は少なく高い強度を確保できる。このため、耐久性や安全性が高い。
このようにして、乳幼児の身体に対するフィット性が高く、かつ、長時間の使用でも乳幼児の適切な保持位置を維持できるベビースリングとなる。
【００３２】
請求項４の発明にかかるベビースリングによれば前記支持部は、前記乳幼児保持部の長さ方向の両端に連続して形成されている。
したがって、請求項１乃至請求項３に記載の効果に加えて、伸縮性を有する伸縮性帯状体が伸び変形し、使用者の肩にフィットしてずれにくく、安定したたすきがけを維持でき、また、肩に加わる荷重も分散されて使用者の負担が軽減される。
【００３３】
特に、伸縮性帯状体が長さ方向に対する伸縮性を有する場合、乳幼児の重みで伸縮性帯状体が長さ方向に対して伸び変形することで、ベビースリング全体の環状の長さが変化して、使用者の体格や種々の抱持方法に応じた乳幼児の保持位置とすることができる。このとき、格子状に織り込んだ伸縮性帯状体によって、伸縮性帯状体の過剰な伸び変形が制限されることから、長時間の連続使用で、支持部を構成する伸縮性帯状体の長さ方向に対する収縮性が徐々に弱まり伸び変形が大きくなって、支持部と連続形成されている乳幼児保持部に収容された乳幼児の保持位置が次第に下降して使用者への負担が大きくなってしまう事態が防止され、安定的な保持が可能である。
また、伸縮性帯状体が幅方向に対する伸縮性を有する場合、肩の形が特定されることなく、単位面積当たりの負担が軽減され、使用者の肩の疲れを低減させることができる。さらに、それが肩に当たっても特定の個所が痛くなる等の負担はなく、加えて、上腕骨周囲の厚い筋肉で形成された三角筋がある部位にフィットさせることもでき、頚部に近い個所での荷重負担を少なくし、疲れを軽減できて肩凝りが生じ難い使用も可能とする。
【００３４】
請求項５の発明にかかるベビースリングによれば、前記乳幼児保持部は、環状の周方向の長さ方向に対して直角方向の幅方向両縁に伸縮性のないパイピングによりパイピング処理が施されていることから、乳幼児保持部に乳幼児の重みが加えられた際、伸縮性帯状体において、幅方向の中央側の伸び変形と比較して、幅方向両側の伸び変形は抑制される。
したがって、請求項１乃至請求項４に記載の効果に加えて、幅方向の中央側が乳幼児の重みで沈み易く、中央側に乳幼児の安定した位置が保持できる重心位置がくるから、保持安定性が増し、乳幼児保持部で乳幼児の安定した受けができる。また、パイピング処理により、帯状体のほつれが防止され、機械的強度も向上する。さらに、意匠性や装飾的効果を増大させることができる。
【００３５】
請求項６の発明にかかるベビースリングによれば、前記乳幼児保持部は、環状の長さ方向の中央部分を最大幅とし、また、その両端部分を長さ方向に沿って順次幅狭とし、環状の長さ方向に直角に２つに折り畳んで重ねたとき、幅方向中央が下側に凸に湾曲する形状に形成されている。
したがって、請求項１乃至請求項５に記載の効果に加えて、乳幼児保持部に乳幼児が収容された際、幅方向中央側に乳幼児の安定した安定した位置が保持できる重心位置がくるから、高い保持安定性が得られる。
【図面の簡単な説明】
【００３６】
【図１】図１は本発明の実施の形態１に係るベビースリングの全体構成を示す全体斜視図である。
【図２】図２は本発明の実施の形態１の環状となっているベビースリングを２つ折りにして重ねた正面図である。
【図３】図３（ａ）は本発明の実施の形態１に係るベビースリングの図２のａ−ａ横断面図及びその一部の拡大断面図である。図３（ｂ）は本発明の実施の形態１に係るベビースリングの図２のｂ−ｂ縦断面図及びその一部の拡大断面図である。
【図４】図４は本発明の実施の形態１に係るベビースリングを構成する伸縮性帯状体及び非伸縮性帯状体の織り込み状態を示す斜視図である。
【図５】図５は本発明の実施の形態１に係るベビースリングを構成する伸縮性帯状体及び非伸縮性帯状体の配置関係を説明するための説明図及びその一部拡大図である。
【図６】図６は本発明の実施の形態１に係るベビースリングの伸縮方向を説明するための説明図である。
【図７】図７は本発明の実施の形態１に係るベビースリングの使用方法を示す２例の斜視図である。
【図８】図８は本発明の実施の形態１の変形例１に係るベビースリングを構成する伸縮性帯状体及び非伸縮性帯状体の織り込み状態を示す斜視図である。
【図９】図９は本発明の実施の形態１の変形例１に係るベビースリングの伸縮方向を説明するための説明図である。
【図１０】図１０は本発明の実施の形態２に係るベビースリングを構成する伸縮性帯状体及び非伸縮性帯状体の織り込み状態を示す斜視図である。
【図１１】図１１は本発明の実施の形態２に係るベビースリングの伸縮方向を説明するための説明図である。
【図１２】図１２は本発明の実施の形態２に係るベビースリングの使用方法を示す１例の斜視図である。
【図１３】図１３は本発明の実施の形態２の変形例１に係るベビースリングを構成する伸縮性帯状体及び非伸縮性帯状体の織り込み状態を示す斜視図である。
【図１４】図１４は本発明の実施の形態２の変形例１に係るベビースリングの伸縮方向を説明するための説明図である。
【図１５】図１５は本発明の実施の形態３に係るベビースリングを構成する伸縮性帯状体及び非伸縮性帯状体の織り込み状態を示す斜視図である。
【図１６】図１６は本発明の実施の形態３に係るベビースリングの伸縮方向を説明するための説明図である。
【図１７】図１７は本発明の実施の形態３の変形例１に係るベビースリングを構成する伸縮性帯状体及び非伸縮性帯状体の織り込み状態を示す斜視図である。
【図１８】図１８は本発明の実施の形態３の変形例１に係るベビースリングの伸縮方向を説明するための説明図である。
【発明を実施するための形態】
【００３７】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３８】
［実施の形態１］
まず、本発明の実施の形態１に係るベビースリング１について、図１乃至図７を参照して説明する。
図において、本実施の形態１に係るベビースリング１は、乳幼児Ｓが収容され保持される乳幼児保持部１０と、乳幼児Ｓを保持する使用者Ｔの肩に掛けられて乳幼児保持部１０に収容された乳幼児Ｓを支持する支持部２０を有し、乳幼児保持部１０と支持部２０が一体に連続して全体を環状に形成されたものである。
【００３９】
具体的に、本実施の形態１に係るベビースリング１は、図４に示すように、長さ方向Ｌに対して長さ方向Ｌ方向の伸縮性αを有する生地からなる伸縮性帯状体Ａ（Ａ1，Ａ2，Ａ3，・・・Ａn）を複数本平行に配置し、その長さ方向Ｌに対して直角方向Ｗに複数本平行に伸縮性のない生地からなる非伸縮性帯状体Ｂ（Ｂ1，Ｂ2，Ｂ3，・・・Ｂi）を格子状に織り込んで配設し、さらに、図１及び図２に示すように、長さ方向Ｌに対して直角方向Ｗの両側を伸縮性のない生地からなるパイピング３０で処理し、長さ方向Ｌの両端部を縫着（図１の破線にて表示）してそれらを環状に形成することで、乳幼児保持部１０及び支持部２０を構成したものである。
【００４０】
即ち、本実施の形態１の乳幼児保持部１０は、環状の周方向の長さ方向Ｌに沿って複数本平行に配置した、環状の周方向の長さ方向Ｌに対する伸縮性αを有する伸縮性帯状体Ａ（Ａ1，Ａ2，Ａ3，・・・Ａn）に対して、その長さ方向Ｌに直角な幅方向Ｗに沿って複数本平行に伸縮性のない非伸縮性帯状体Ｂ（Ｂ1，Ｂ2，Ｂ3，・・・Ｂi）が格子状に織り込まれて形成されたものである。なお、本実施の形態１の乳幼児保持部１０においては、長さ方向Ｌに対して直角な幅は略同一幅で形成されており、扁平な平板状を呈している。
【００４１】
また、非伸縮性糸Ｖ（Ｖ1，Ｖ2，Ｖ3，・・・Ｖi）によって伸縮性帯状体Ａ（Ａ1，Ａ2，Ａ3，・・・Ａn）の長さ方向に対して直角に縫製し、非伸縮性帯状体Ｂ（Ｂ1，Ｂ2，Ｂ3，・・・Ｂi）と一体とし、伸縮性帯状体Ａ（Ａ1，Ａ2，Ａ3，・・・Ａn）に対して伸縮自在とし、その長さ方向Ｌに直角な幅方向Ｗの非伸縮性帯状体Ｂ（Ｂ1，Ｂ2，Ｂ3，・・・Ｂi）を伸縮しないようにしている。
非伸縮性糸Ｖ（Ｖ1，Ｖ2，Ｖ3，・・・Ｖi）は、環状の周方向の長さ方向Ｌに対して直角に複数本平行に縫製し、環状の周方向の長さ方向Ｌに対する伸縮のみを自在としている。本実施の形態１では、非伸縮性糸Ｖ（Ｖ1，Ｖ2，Ｖ3，・・・Ｖi）は、環状の周方向の長さ方向Ｌに対して直角に縫製し、環状の周方向の長さ方向Ｌに対する伸縮のみを自在としたものである。
【００４２】
ここで、伸縮性帯状体Ａ（Ａ1，Ａ2，Ａ3，・・・Ａn）と非伸縮性帯状体Ｂ（Ｂ1，Ｂ2，Ｂ3，・・・Ｂl）の配置は、詳細には、図３乃至図５に示すように、長さ方向Ｌにおいて複数本平行に配置した長さ方向Ｌに伸縮性のある伸縮性帯状体Ａに対し、その長さ方向Ｌに直角な幅方向Ｗに複数本平行に伸縮性のない非伸縮性帯状体Ｂ1，Ｂ2，Ｂ3，・・・Ｂl）が格子状に織り込まれ、非伸縮性糸Ｖ（Ｖ1，Ｖ2，Ｖ3，・・・Ｖi）によって伸縮性帯状体Ａ（Ａ1，Ａ2，Ａ3，・・・Ａn）の長さ方向に対して直角に縫製して、非伸縮性帯状体Ｂ（Ｂ1，Ｂ2，Ｂ3，・・・Ｂi）と一体に接合し、伸縮性帯状体Ａ（Ａ1，Ａ2，Ａ3，・・・Ａn）と非伸縮性帯状体Ｂ（Ｂ1，Ｂ2，Ｂ3，・・・Ｂl）が交互に等間隔で表裏面に表出して格子状を形成し、表裏面が伸縮性帯状体Ａ（Ａ1，Ａ2，Ａ3，・・・Ａn）及び非伸縮性帯状体Ｂ（Ｂ1，Ｂ2，Ｂ3，・・・Ｂl）の２層構造となっている。なお、本実施の形態１においては、各伸縮性帯状体Ａ（Ａ1，Ａ2，Ａ3，・・・Ａn）は、互いに隙間なく隣接した状態で長さ方向Ｌに沿って平行に配置され、また、各非伸縮性帯状体Ｂ（Ｂ1，Ｂ2，Ｂ3，・・・Ｂl）においても、互いに隙間なく隣接した状態で幅方向Ｗに沿って平行に配置されている。しかし、本発明を実施する場合には、当該隙間間隔は任意に設定することができる。
【００４３】
このように、環状の周方向の長さ方向Ｌに対して伸縮性αを有する伸縮性帯状体Ａに対して、伸縮性を有しない非伸縮性帯状体Ｂを格子状に織り込んで乳幼児保持部１０を形成することで、図６に示すように、乳幼児保持部１０に収容される乳幼児Ｓの重みで伸縮性帯状体Ａが環状の周方向の長さ方向Ｌに対して伸縮性αが伸び変形する一方で、伸縮性帯状体Ａに対して格子状に織り込んだ非伸縮性帯状体Ｂによって、伸縮性帯状体Ａの過剰な伸び変形が制限される。加えて、伸縮性帯状体Ａと非伸縮性帯状体Ｂを格子状に織り込むことで、高い強度が確保される。
【００４４】
特に、本実施の形態１の乳幼児保持部１０においては、長さ方向Ｌに対して直角方向の幅方向Ｗ両縁にパイピング処理によって伸縮性のない生地からなるパイピング３０が同一幅で伸縮性の糸により縫い付けられている。このため、図６の実線に示したように、図６の仮想線で示した状態で、線乳幼児保持部１０に乳幼児Ｓの重みが加えられたときには、幅方向Ｗの中央側に位置する伸縮性帯状体Ａの伸びに対し、幅方向Ｗ両側に位置する伸縮性帯状体Ａの伸びは抑制される。これにより、幅方向Ｗの中央側が乳幼児Ｓの重みで沈み易く、中央側に乳幼児Ｓの安定した安定した位置を保持できる重心位置がくるから、保持安定性が増す。加えて、幅方向Ｗの両側に伸縮性のない生地からなるパイピング３０を縫い付けることによって、伸縮性帯状体Ａや非伸縮性帯状体Ｂのほつれが防止され、機械的強度も向上し、さらには、意匠性や装飾的効果も増大する。また、乳幼児保持部１０の両側が伸びなくて、伸縮性帯状体Ａが伸びるから、乳幼児はパイピング３０の位置よりも深く沈み込むことができるから、使い勝手の良い、安定したベビースリング１となる。
因みに、ここでの幅方向Ｗの中央側とは、乳幼児保持部１０の位置を中心とした場合の基準であり、本実施の形態１のベビースリング１は環状であり、図形的には、中央部分はない。即ち、幅方向Ｗの中央側とは、乳幼児保持部１０の中心位置を特定する前提条件下の形態である。
【００４５】
なお、本実施の形態１では、伸縮性帯状体Ａと非伸縮性帯状体Ｂが格子状に織り込まれた状態で、図５の破線で示すように、各伸縮性帯状体Ａ（Ａ1，Ａ2，Ａ3，・・・Ａn）の幅方向Ｗの片側端部において、即ち、環状の長さ方向Ｌに沿って、伸縮性の糸により表裏面の伸縮性帯状体Ａと非伸縮性帯状体Ｂを非伸縮性糸Ｖ（Ｖ1，Ｖ2，Ｖ3，・・・Ｖi）によって、伸縮性帯状体Ａ（Ａ1，Ａ2，Ａ3，・・・Ａn）の長さ方向に対して直角に縫製しており、乳幼児Ｓを収容した際に、伸縮性帯状体Ａ及び非伸縮性帯状体Ｂにおいて撚れや浮きが生じるのを防止している。このとき、本実施の形態１においては、伸縮性帯状体Ａと非伸縮性帯状体Ｂの縫い合わせには伸縮性の糸を用いており、また、伸縮性帯状体Ａと非伸縮性帯状体Ｂが格子状に織り込まれていることによって、伸縮性帯状体Ａ及び非伸縮性帯状体Ｂの境界部において伸縮率が異なることで生じるストレスも分散されることから、その縫い合わせは外れ難くなっている。
一方、その部分以外では、表裏面の伸縮性帯状体Ａと非伸縮性帯状体Ｂは縫い合わされておらず、また、隣接する各伸縮性帯状体Ａ（Ａ1，Ａ2，Ａ3，・・・Ａn）間や隣接する各非伸縮性帯状体Ｂ（Ｂ1，Ｂ2，Ｂ3，・・・Ｂl）間においても縫い合わされていないことから、通気性が確保され蒸れの生じない仕様を可能としている。
【００４６】
本実施の形態１の支持部２０は、乳幼児保持部１０の環状の周方向の長さ方向Ｌの両端に直接、かつ、連続して形成されたものである。即ち、この支持部２０は、環状の周方向の長さ方向Ｌに沿って複数本平行に配置した環状の周方向の長さ方向Ｌに対する伸縮性を有する生地からなる伸縮性帯状体Ａ（Ａ1，Ａ2，Ａ3，・・・Ａn）に対して、伸縮性のない生地からなる非伸縮性帯状体Ｂ（Ｂ1，Ｂ2，Ｂ3，・・・Ｂl）をその長さ方向Ｌに直角な幅方向Ｗに複数本平行に格子状に織り込んで、かつ、非伸縮性糸Ｖ（Ｖ1，Ｖ2，Ｖ3，・・・Ｖi）によって非伸縮性帯状体Ｂ（Ｂ1，Ｂ2，Ｂ3，・・・Ｂi）を伸縮性帯状体Ａ（Ａ1，Ａ2，Ａ3，・・・Ａn）の長さ方向に対して直角に縫製したものであり、更に、長さ方向Ｌに対して直角方向の幅方向Ｗ両縁を伸縮性のない生地からなるパイピング３０で処理した後に、幅方向Ｗの両側の一部を内側に折曲して縫製（図１の破線にて表示）したことにより、厚みのある略同一幅の肩当部２１を形成し、環状の長さ方向Ｌに直角に２つに重なり合うように折り畳んだとき、環状の長さ方向Ｌの端部に配置される肩当部２１に向かって、長さ方向Ｌに対して直角方向の幅が順次狭くなっている。
【００４７】
このように、本実施の形態１の支持部２０においても、乳幼児保持部１０から連続して環状の周方向の長さ方向Ｌに対して伸縮性を有する伸縮性帯状体Ａに対して非伸縮性帯状体Ｂが格子状に織り込まれて構成されていることで、乳幼児保持部１０に乳幼児Ｓが収容された際、乳幼児Ｓの重みで伸縮性を有する伸縮性帯状体Ａが長さ方向Ｌに伸び変形する一方で、伸縮性帯状体Ａに対して格子状に織り込まれた非伸縮性帯状体Ｂによって、伸縮性帯状体Ａの過剰な伸び変形が制限される。加えて、伸縮性帯状体Ａと非伸縮性帯状体Ｂを格子状に織り込むことで、高い機械的強度が確保される。
【００４８】
ここで、使用者Ｔの肩に当たる肩当部２１においては、厚みを持たせていることで、折れ曲がりが防止される。故に、折れ曲がりによって肩への負担が集中的に大きくなったり、肩に違和感が生じたりする事態が防止され、使用者Ｔの肩への負担が軽減される。
そして、この肩当部２１においては、その長さ方向Ｌに対して直角方向の幅を、例えば、５ｃｍ以上、好ましくは、７ｃｍ以上とすることにより、使用者Ｔの肩への負担が小さいものとなる。即ち、長さ方向Ｌに対する直角方向の幅が５ｃｍ未満であると、乳幼児Ｓの体重Ｍが肩の肩甲骨、鎖骨、上腕骨の何れに長さ方向Ｌに２ｃｍの幅で加わったとしても、単位面積当たりＭ／５×２＝Ｍ／１０以上となり、幼児の体重が１０ｋｇ以上になった場合、そこに１０ｋｇ以上の荷重が加わることになる。単位面積当たり１ｋｇ以上の負担では、短時間の使用で肩こり等の障害、血管圧迫による障害が生じやすくなることから、使用者Ｔが耐えられる肩の負担を考慮すると、長さ方向Ｌに対する直角方向の幅は５ｃｍ以上、好ましくは、７ｃｍ以上である。このように乳幼児Ｓの体重が肩、即ち、肩甲骨、鎖骨、上腕骨の何れかの一部に集中しないような幅とすれば、肩に加わる力を分散でき、肩の疲れを低減させることができる。
さらに、長さ方向Ｌに対する直角方向の幅を１０ｃｍ以上とすることによって、肩から腕にかけての広範囲で、詳細には、肩の肩甲骨、鎖骨、上腕骨の全体で、乳幼児保持部１０に収容された乳幼児Ｓを支えることができることから、加重が分散され使用者Ｔへの負担がより軽減される。また、肩当部２１が肩からずれにくく、安定した支持状態を維持できる。特に、１０ｃｍ以上の幅広とすることによって、使用者Ｔの頚部に近い肩甲骨、鎖骨周囲の薄い筋肉で形成された僧帽筋での荷重の受けに加え、上腕骨周囲の厚い筋肉で形成された三角筋での受けも可能となり、疲れを軽減できて肩凝りが生じ難い使用を可能とする。
【００４９】
このように構成された本実施の形態１のベビースリング１は、図７に示されるように、乳幼児Ｓを保持する使用者Ｔにたすき掛けされ、支持部２０が使用者Ｔの片肩に掛けられて肩当部２１が使用者Ｔの片肩に当てられることによって、乳幼児保持部１０に収容された乳幼児Ｓの体重が使用者Ｔの片肩で支持され、乳幼児保持部１０にて乳幼児Ｓが保持される。
【００５０】
そして、本実施の形態１のベビースリング１によれば、乳幼児Ｓを受ける乳幼児保持部１０において、環状の周方向の長さ方向Ｌに沿って複数本平行に配置した、環状の周方向の長さ方向Ｌに対する伸縮性を有する伸縮性帯状体Ａに対し、伸縮性のない非伸縮性帯状体Ｂがその長さ方向Ｌに直角な幅方向Ｗに沿って複数本平行に格子状に織り込まれて形成されていることから、乳幼児保持部１０に収容された乳幼児Ｓの重みで伸縮性を有する伸縮性帯状体Ａが環状の周方向の長さ方向Ｌに伸び変形して乳幼児Ｓの姿勢や体型に合わせてフィットし、保持安定性が高く、安定した抱き心地が得られる。特に、環状の周方向の長さ方向Ｌに対して伸縮性αを有する伸縮性帯状体Ａが環状の周方向の長さ方向Ｌに沿って配置されているため、環状の周方向の長さ方向Ｌに対する伸縮性が連続的であり、乳幼児Ｓの身体へのフィット性が高い。一方で、伸縮性帯状体Ａに対して非伸縮性帯状体Ｂが格子状に織り込まれていることによって、伸縮性帯状体Ａの過剰な伸び変形が制限される。
【００５１】
これにより、長時間の連続使用で、乳幼児保持部１０を構成する伸縮性帯状体Ａの伸縮性αが徐々に弱まり伸びが大きくなって、乳幼児Ｓの保持位置が次第に下降して使用者Ｔへの負担が大きくなってしまう事態が防止され、安定的な保持が可能である。また、乳幼児Ｓの動きに応じて伸縮性帯状体Ａが伸縮する一方で、非伸縮性帯状体Ｂによってその大きな伸び変形は制限されるため、乳幼児Ｓが動いても、乳幼児Ｓの過剰な沈み込みが防止され、乳幼児Ｓの適切な保持位置を維持しやすい。さらに、伸縮性帯状体Ａと非伸縮性帯状体Ｂを格子状に織り込むことで、表裏面が伸縮性帯状体Ａ及び非伸縮性帯状体Ｂの２層構造となることから、一部が破断するという事態は少なく高い強度が確保されている。特に、生地を縫製して接合することによって乳幼児保持部１０を形成する従来のベビースリングにおいては、縫着の外れによって乳幼児保持部１０が破断する恐れがあったが、本実施の形態１の乳幼児保持部１０は伸縮性帯状体Ａと非伸縮性帯状体Ｂを格子状に織り込むことによよって形成されるため、縫着の外れ等による破断の恐れはない。このため、耐久性や安全性が高い。
このように本実施の形態１のベビースリング１は、伸縮性帯状体Ａに対して非伸縮性帯状体Ｂが格子状に織り込まれていることによって荷重に対応した構成となり、乳幼児Ｓの身体に対するフィット性が高く、かつ、長時間の使用でも乳幼児Ｓの適切な保持位置を維持できる。
【００５２】
加えて、本実施の形態１のベビースリング１の乳幼児保持部１０においては、環状の周方向の長さ方向Ｌに対して直角方向の幅方向Ｗ両縁にパイピング処理によって伸縮性のない生地からなるパイピング３０が縫い付けられていることから、乳幼児保持部１０に乳幼児Ｓの重みが加えられた際、幅方向Ｗにおいて中央側に位置する伸縮性帯状体Ａの長さ方向Ｌへの伸び変形と比較して、幅方向Ｗ両側に位置する伸縮性帯状体Ａの伸び変形は抑制される。これにより、幅方向Ｗの中央側が乳幼児Ｓの重みで沈み易く、中央側に乳幼児Ｓの安定した位置が保持できる重心位置がくるから、保持安定性が増し、乳幼児保持部１０で乳幼児Ｓの安定した受けができる。
さらに、幅方向Ｗ両縁にパイピング３０が縫い付けられていることによって、伸縮性帯状体Ａや非伸縮性帯状体Ｂのほつれが防止され、機械的強度も向上する。また、意匠性や装飾的効果が増し、製品としての見栄えが向上して消費者の購買意欲を増大させることもできる。
【００５３】
ここで、本実施の形態１のベビースリング１の使用状態としては、例えば、図７（ａ）に示すように、使用者Ｔの正面側で乳幼児Ｓを対面方向で抱く対面縦抱きの状態、図７（ｂ）に示すように、使用者Ｔの正面側で乳幼児Ｓをゆりかごのように抱く横抱きの状態があり、その他にも、乳幼児Ｓを前向きに抱く縦抱き状態、使用者Ｔの腰骨に座らせるように脇で抱く腰抱きの状態、おんぶ等があり、使用者Ｔの好みまたは体型によって、乳幼児Ｓの抱く位置を適宜変更することができる。
【００５４】
特に、本実施の形態１のベビースリング１においては、環状の周方向の長さ方向Ｌに沿って複数本平行に配置した環状の周方向の長さ方向Ｌに対する伸縮性αを有する伸縮性帯状体Ａによって、乳幼児Ｓの重みで環状の周方向の長さ方向Ｌに対して伸び変形し乳幼児Ｓの身体にフィットすることから、図７（ａ）に示すような対面縦抱き状態においては、乳幼児Ｓの背中から膝裏までの広い面積を覆ってしっかりと安定して支えることができ、図７（ｂ）に示すようなゆりかごのような横抱きの状態、所謂、バナナ抱きにおいても乳幼児Ｓの背面側にフィットして安定した抱き心地が得られ、好適である。
また、伸縮性帯状体Ａに対して非伸縮性帯状体Ｂが格子状に織り込まれていることにより、伸縮性帯状体Ａの過剰な伸び変形が制限されて荷重に対応した構成となり、見栄えの向上及び機能美も表象される。
【００５５】
さらに、本実施の形態１においては、ベビースリング１を構成する全体、即ち、乳幼児Ｓを受ける乳幼児保持部１０に加え、乳幼児保持部１０に連続して形成され使用者Ｔの肩にかけられる支持部２０においても、環状の周方向の長さ方向Ｌに対する伸縮性を有する伸縮性帯状体Ａに対して非伸縮性帯状体Ｂを格子状に織り込む構造としたことによって、乳幼児保持部１０に乳幼児Ｓが収容された際、乳幼児Ｓの重みで伸縮性を有する伸縮性帯状体Ａが環状の周方向の長さ方向Ｌに伸び変形し、全体の環状の長さが変化して、使用者Ｔの体格や種々の抱持方法に応じた乳幼児Ｓの保持位置とすることができる。
また、環状の周方向の長さ方向Ｌに対して伸縮性を有する伸縮性帯状体Ａに対して非伸縮性帯状体Ｂを格子状に織り込んでベビースリング１全体を形成することで、ベビースリング１の全体に亘って安定した張力を与えることができ、支持部２０が肩からずれにくくなる。特に、伸縮性を有する伸縮性帯状体Ａが環状の周方向の長さ方向Ｌに伸び変形することから、使用者Ｔの肩にフィットしてずれにくく、肩に加わる荷重も分散されて使用者Ｔの負担が軽減される。
そして、このとき、支持部２０においても、伸縮性帯状体Ａに対して格子状に織り込んだ非伸縮性帯状体Ｂによって、伸縮性帯状体Ａの過剰な伸び変形が制限されることから、長時間の連続使用で、支持部２０を構成する伸縮性帯状体Ａの収縮性が徐々に弱まり伸び変形が大きくなって、支持部２０と連続形成されている乳幼児保持部１０に収容された乳幼児Ｓの保持位置が次第に下降して使用者Ｔへの負担が大きくなってしまう事態が防止され、安定的な保持が可能である。
【００５６】
なお、本実施の形態１のベビースリング１は、縫製によって全体が連続して環状に形成されてなるものであるが、環状の周方向の長さ方向Ｌに対する伸縮性を有する伸縮性帯状体Ａで構成することによって、環状の長さを変化可能としている。このため、リング等の長さ調節具を取り付けることによって環状の長さを変化可能とするベビースリングにおいて懸念される事態、具体的には、使用中にリング等の長さ調節具から帯状体が抜け、環が解けてしまうことによって乳幼児Ｓが滑り落ちてしまったり、帯状体がリング等における拘束位置からずれてしまうことで、保持位置が変化してしまったりする事態はなく、安定した保持位置が維持できる。
しかし、本発明を実施する場合には、帯状体の一端部にリング、バックル、スナップ等の長さ調節具を取り付け、長さ調節具で帯状体の両端部を連結させることによって環状をなす構造とし、長さ調節具によって環状の長さを調節可能とすることもできる。これにより、細かな単位で環状の長さを調節可能であり、より使用者Ｔの体格や種々の抱持方法に応じた適切な寸法に調節できる。
【００５７】
本実施の形態では、非伸縮性糸Ｖ（Ｖ1，Ｖ2，Ｖ3，・・・Ｖi）によって伸縮性帯状体Ａ（Ａ1，Ａ2，Ａ3，・・・Ａn）と非伸縮性帯状体Ｂ（Ｂ1，Ｂ2，Ｂ3，・・・Ｂi）を縫製しているが、当該縫製をしなくともベビースリング１として機能することができる。しかし、非伸縮性糸Ｖ（Ｖ1，Ｖ2，Ｖ3，・・・Ｖi）によって非伸縮性帯状体Ｂ（Ｂ1，Ｂ2，Ｂ3，・・・Ｂi）を伸縮性帯状体Ａ（Ａ1，Ａ2，Ａ3，・・・Ａn）の長さ方向に対して直角に縫製し、伸縮性帯状体Ａ（Ａ1，Ａ2，Ａ3，・・・Ａn）に対して伸縮自在とし、その長さ方向Ｌに直角な幅方向Ｗに沿って複数本平行に伸縮性のない非伸縮性帯状体Ｂ（Ｂ1，Ｂ2，Ｂ3，・・・Ｂi）を伸縮しないようにした場合には、非伸縮性糸Ｖ（Ｖ1，Ｖ2，Ｖ3，・・・Ｖi）は、環状の周方向の長さ方向Ｌに対する伸縮のみを自在としており、伸縮性帯状体Ａ（Ａ1，Ａ2，Ａ3，・・・Ａn）と伸縮性のない非伸縮性帯状体Ｂ（Ｂ1，Ｂ2，Ｂ3，・・・Ｂi）が交差するような織り込みがもつれた状態にならない。
【００５８】
このように、本実施の形態１のベビースリング１は、環状をなすベビースリング１であって、環状の周方向の長さ方向Ｌに沿って複数本平行に配置した環状の周方向の長さ方向Ｌに対する伸縮性αを有する伸縮性帯状体Ａに対し、その長さ方向に直角な幅方向Ｗに沿って複数本平行に伸縮性のない非伸縮性帯状体Ｂを格子状に織り込んで形成し、かつ、非伸縮性糸Ｕ（Ｕ1，Ｕ2，Ｕ3，・・・Ｕn）によって非伸縮性帯状体Ｅ（Ｅ1，Ｅ2，Ｅ3，・・・Ｅn）を伸縮性帯状体Ｆの長さ方向に対して直角、即ち、非伸縮性帯状体Ｅの長さ方向に平行して縫製した乳幼児Ｓが収容される乳幼児保持部１０と、乳幼児保持部１０の環状の周方向の長さ方向Ｌの両端から一体に連続して、環状の周方向の長さ方向Ｌに沿って複数本平行に配置した環状の周方向の長さ方向Ｌに対する伸縮性αを有する伸縮性帯状体Ａ及びその長さ方向Ｌに直角な幅方向Ｗに沿って複数本平行に配置した伸縮性のない非伸縮性帯状体Ｂが格子状に織り込まれて形成され、使用者Ｔの肩に掛けられて乳幼児保持部１０に収容される乳幼児Ｓを支持する支持部２０を具備するものである。
【００５９】
したがって、本実施の形態１のベビースリング１によれば、乳幼児保持部１０に収容される乳幼児Ｓの重みで伸縮性αを有する伸縮性帯状体Ａが環状の周方向の長さ方向Ｌに伸び変形し、乳幼児Ｓの姿勢や体型に合わせてフィットし、安定感のある保持ができる。特に、環状の周方向の長さ方向Ｌに対して伸縮性αを有する伸縮性帯状体Ａが環状の周方向の長さ方向Ｌに沿って配置されているため、環状の周方向の長さ方向Ｌに対する伸縮性が連続的であり、乳幼児Ｓの身体へのフィット性が高い。一方で、伸縮性帯状体Ａに対して非伸縮性帯状体Ｂが格子状に織り込まれていることによって、伸縮性帯状体Ａの過剰な伸び変形が制限される。
【００６０】
これにより、長時間の連続使用によって伸縮性帯状体Ａの収縮性が弱まって伸びが大きくなり、乳幼児Ｓの保持位置が次第に下降して使用者Ｔへの負担が大きくなってしまう事態が防止され、最初の保持位置を維持でき、安定的な保持が可能である。また、乳幼児Ｓの動きに応じて伸縮性帯状体Ａが伸縮する一方で、非伸縮性帯状体Ｂによってその大きな伸び変形は制限されるため、乳幼児Ｓが動いた場合でも乳幼児Ｓの過剰な沈み込みが防止され、乳幼児Ｓの適切な保持位置を維持しやすい。さらに、伸縮性帯状体Ａと非伸縮性帯状体Ｂを格子状に織り込むことで、表裏面が伸縮性帯状体Ａ及び非伸縮性帯状体Ｂの２層構造となることから、一部が破断するという事態は少なく高い強度を確保できる。このため、耐久性や安全性が高い。
このようにして、乳幼児Ｓの身体に対するフィット性が高く、かつ、長時間の使用でも乳幼児Ｓの適切な保持位置を維持できるベビースリング１となる。
【００６１】
特に、本実施の形態１のベビースリング１においては、乳幼児Ｓを受ける乳幼児保持部１０に加え、乳幼児保持部１０に連続して形成され使用者Ｔの肩にかけられる支持部２０においても、環状の周方向の長さ方向Ｌに対する伸縮性αを有する伸縮性帯状体Ａに対して非伸縮性帯状体Ｂを格子状に織り込む構造とすることによって、乳幼児保持部１０に乳幼児Ｓが収容された際、乳幼児Ｓの重みで伸縮性αを有する伸縮性帯状体Ａが環状の周方向の長さ方向Ｌに伸び変形し、全体の環状の長さが変化して、使用者Ｔの体格や種々の抱持方法に応じた乳幼児Ｓの保持位置とすることができる。加えて、伸縮性αを有する伸縮性帯状体Ａによって長さ方向Ｌへの伸び適当に存在することから、使用者Ｔの肩にもフィットしてずれにくく、肩に加わる乳幼児Ｓの体重も分散されて使用者Ｔの負担が軽減される。
【００６２】
このとき、支持部２０においても、伸縮性帯状体Ａに対して格子状に織り込んだ非伸縮性帯状体Ｂによって、伸縮性帯状体Ａの過剰な伸び変形が制限されることから、長時間の連続使用で、支持部２０の収縮性が弱まり伸び変形が大きくなって、支持部２０と連続形成されている乳幼児保持部１０に収容された乳幼児Ｓの保持位置が次第に下降し、使用者Ｔへの負担が大きくなってしまう事態が防止され、安定的な保持が可能である。
【００６３】
また、本実施の形態１のベビースリング１においては、環状の周方向の長さ方向Ｌに対して直角方向の幅方向Ｗ両縁に伸縮性のないパイピング３０によりパイピング処理が施されている。このため、乳幼児保持部１０に乳幼児Ｓの重みが加えられた際、幅方向Ｗの中央側に位置する伸縮性帯状体Ａの伸び変形に対し、幅方向Ｗ両側に位置する伸縮性帯状体Ａの伸び変形は抑制される。これにより、幅方向Ｗの中央側が乳幼児Ｓの重みで沈み易く、中央側に乳幼児Ｓの安定した安定した位置が保持できる重心位置がくるから、保持安定性が増し、乳幼児保持部１０で乳幼児Ｓの安定した受けができる。また、パイピング処理により、伸縮性帯状体Ａや非伸縮性帯状体Ｂのほつれが防止され、機械的強度も向上し、さらに、意匠性や装飾的効果も増大させることができる。
【００６４】
ここで、上記実施の形態１においては、長さ方向Ｌに対する伸縮性を有する伸縮性帯状体Ａを複数本平行に配置し、その長さ方向Ｌに対して直角な幅方向Ｗに複数本平行に伸縮性のない非伸縮性帯状体Ｂを格子状に織り込み、長さ方向Ｌに対して直角の幅方向Ｗ両縁に沿って伸縮性のない生地からなるパイピング３０で処理し、長さ方向Ｌの両端部を縫着してそれらを環状に形成することで、乳幼児保持部１０及び支持部２０を構成しており、環状の周方向の長さ方向Ｌに沿って平行に配置した伸縮性αを有する複数本の各伸縮性帯状体Ａは、同寸法で同一の生地を使用し、また、これらに対して幅方向Ｗに沿って平行に配置して格子状に織り込んだ伸縮性のない複数本の各非伸縮性帯状体Ｂも、同寸法で同一の生地を使用し、図１及び図２に示したように、伸縮していない状態で各格子形状が同一の寸法形状となる形態で説明している。
【００６５】
また、乳幼児保持部１０では、図１及び図２に示したように、環状の周方向の長さ方向Ｌに対して直角方向の幅が略均一幅に形成されているものの、幅方向Ｗ両側で伸縮性のない生地からなるパイピング３０による処理がなされていることで、乳幼児保持部１０に乳幼児Ｓの重みが加えられた際、図６に示すように、幅方向Ｗの中央側に位置する伸縮性帯状体Ａの伸びに対し、幅方向Ｗ両側に位置する伸縮性帯状体Ａの伸びは抑制され、幅方向Ｗ中央側で乳幼児Ｓの安定した位置が保持できる重心位置がくるようになっている。
しかし、本発明を実施する場合には、各伸縮性帯状体Ａ及び各非伸縮性帯状体Ｂにおいて、その寸法形状、素材、伸縮率等が同一のものを使用する必要はなく、また、乳幼児保持部１０及び支持部２０の形状もこれに限定されるものではない。
【００６６】
例えば、乳幼児保持部１０において、幅方向Ｗの中央側に長さ方向Ｌに対する伸び率が大きい伸縮性帯状体Ａを配置し、幅方向Ｗの両側には長さ方向Ｌに対する伸び率が小さい伸縮性帯状体Ａを配置し、それらに対して非伸縮性帯状体Ｂを格子状に織り込む構造とすることも可能である。
これによっても、乳幼児保持部１０に乳幼児Ｓが収容された際、幅方向Ｗの中央側に位置する伸縮性帯状体Ａの伸びが大きく、幅方向Ｗ両側に位置する伸縮性帯状体Ａの伸びが小さいことから、幅方向Ｗ中央側に乳幼児Ｓの安定した安定した位置が保持できる重心位置がくるようになり、安定した収容ができる。
【００６７】
さらに、各伸縮性帯状体Ａ及び各非伸縮性帯状体Ｂにおいて、寸法形状の異なるものを使用する等によって、乳幼児保持部１０にて、環状の長さ方向Ｌの中央部分を最大幅とし、また、その両端部分が長さ方向Ｌに沿って順次幅狭とし、環状の長さ方向Ｌに直角に２つに折り畳んで重ねたとき、幅方向Ｗ中央が下側に凸に湾曲する形状とすることも可能である。
このような形状に形成することによっても、乳幼児保持部１０に乳幼児Ｓが収容された際、幅方向Ｗ中央側に乳幼児Ｓの安定した位置が保持できる重心位置がくるようになり、高い保持安定性が得られる。
【００６８】
このように、乳幼児保持部１０においては、幅方向Ｗ中央側に重心位置がきて、乳幼児Ｓの重みで沈み易く、安定した位置が保持できるようにその弾性変化を設定したり、重心位置となる深さに湾曲する形状に形成したりすることが好ましい。
なお、伸縮性帯状体Ａが伸び変形する一方で、伸縮性帯状体Ａに対して非伸縮性帯状体Ｂを格子状に織り込むことによって、伸縮性帯状体Ａの過剰な伸び変形を制限できるように弾性設定されていれば、乳幼児保持部１０及び支持部２０を構成する伸縮性帯状体Ａ及び非伸縮性帯状体Ｂの本数は特に問われないが、伸縮性帯状体Ａの本数が多い程、より乳幼児Ｓの身体形状に応じたフィット性が得られる。
【００６９】
また、図１及び図２においては、環状の長さ方向Ｌに直角に２つに折り畳んで重ねたとき、乳幼児保持部１０とは反対側の支持部２０の肩当部２１側の端部が直線状となっているが、この端部に凸状の丸みを持たせてもよい。即ち、支持部２０においても、環状の長さ方向に直角に２つに折り畳んだときの肩当部２１側の端部の中央が外側に凸に湾曲するように形成しても良い。これによって、使用者Ｔの肩にその湾曲した凸状部分、正確には、肩が凸であるから内側の凹部分がくると、乳幼児Ｓの体重が肩の上からと横からのベクトル力の分力となるので、使用者Ｔの肩にかかる負担が軽減される。また、幅方向Ｗ中央を外側に凸に湾曲形成することで、肩の凸形状に合わせてフィットさせることができ、支持部２０が肩からずれにくく、安定したたすきがけを維持できる。特に、上腕骨周囲の厚い筋肉で形成された三角筋がある部位にフィットさせることもでき、頚部に近い個所での荷重負担を少なくし、疲れを軽減できて肩凝りが生じ難い使用を可能とする。
【００７０】
さらに、本発明を実施する場合には、乳幼児保持部１０及び支持部２０を構成する伸縮性帯状体Ａ及び非伸縮性帯状体Ｂにおいて、例えば、全体あるいは一部に通気性のある生地を使用し、通気性を良くした構造とすることも可能である。また、各伸縮性帯状体Ａ（Ａ1，Ａ2，Ａ3，・・・Ａn）を所定間隔の隙間を設けながら長さ方向Ｌに沿って平行配置したり、また、各非伸縮性帯状体Ｂ（Ｂ1，Ｂ2，Ｂ3，・・・Ｂl）においても、所定間隔の隙間を設けながら幅方向Ｗに沿って平行に配置したりすることによって、通気性を確保することもできる。
なお、上記実施の形態１では、図１及び図２に示すように、環状の長さ方向Ｌに直角に２つに折り畳んだとき、表側と裏側が同一で重なる形態で説明しているが、本発明を実施する場合には、必ずしも同一で重なる必要はない。
【００７１】
ここで、本実施の形態１の変形例１について、図８及び図９を用いて説明する。
即ち、前記実施の形態１では、非伸縮性糸Ｖ（Ｖ1，Ｖ2，Ｖ3，・・・Ｖi）によって伸縮性帯状体Ａ（Ａ1，Ａ2，Ａ3，・・・Ａn）と非伸縮性帯状体Ｂ（Ｂ1，Ｂ2，Ｂ3，・・・Ｂi）を縫製しているが、当該縫製をしなくともベビースリング１として機能させることができる。
図８及び図９において、本実施の形態１の変形例１に係るベビースリング１００は、環状の周方向の長さ方向Ｌに沿って複数本平行に配置した伸縮性のない非伸縮性帯状体Ｃに対して、その長さ方向Ｌに直角な幅方向Ｗに沿って環状の周方向の長さ方向Ｌに対する伸縮性αを有する伸縮性帯状体Ｄを複数本平行に格子状に織り込んで形成した乳幼児Ｓが収容される乳幼児保持部１０と、乳幼児保持部１０の長さ方向の両端から一体に連続して、長さ方向Ｌに沿って複数本平行に配置した伸縮性のない非伸縮性帯状体Ｃ及びその長さ方向Ｌに直角な幅方向Ｗに沿って複数本平行に配置した長さ方向Ｌに対する伸縮性αを有する伸縮性帯状体Ｄが格子状に織り込まれて形成され、使用者Ｔの肩に掛けられて乳幼児保持部１０に収容される乳幼児Ｓを支持する支持部２０を具備するものである。
このとき、乳幼児Ｓが収容される乳幼児保持部１０は、例えば、図示しない非伸縮性糸Ｔ（図５参照）によって伸縮性帯状体Ｄを非伸縮性帯状体Ｃの長さ方向に対して直角に縫製して形成してもよい。因みに、本実施の形態１の変形例１ではそれを用いていない。
【００７２】
この変形例１に係るベビースリング１００においても、乳幼児Ｓを受ける乳幼児保持部１０にて、環状の周方向の長さ方向Ｌにおいて複数本平行に配置した伸縮性のない非伸縮性帯状体Ｃに対し、環状の周方向の長さ方向Ｌに対する伸縮性を有する伸縮性帯状体Ｄがその長さ方向Ｌに直角な幅方向Ｗに複数本平行に格子状に織り込まれて形成されていることで、乳幼児Ｓの重みで伸縮性を有する伸縮性帯状体Ｄが環状の周方向の長さ方向Ｌに伸び変形し、乳幼児Ｓの姿勢や体型に合わせてフィットし、安定感のある保持ができる。一方で、伸縮性帯状体Ｄに対して非伸縮性帯状体Ｃが格子状に織り込まれていることによって、伸縮性帯状体Ｄの過剰な伸びが制限される。
【００７３】
これにより、長時間の連続使用によって伸びが大きくなり、乳幼児Ｓの保持位置が次第に下降し、使用者Ｔへの負担が大きくなってしまう事態が防止され、最初の保持位置を維持できて安定的な保持が可能である。特に、環状の周方向の長さ方向Ｌに対する伸縮性を有する伸縮性帯状体Ｄが幅方向Ｗに沿って配置されているため、環状の周方向の長さ方向Ｌに対する伸縮性は断続的なものであることから、長時間の連続使用による伸縮性帯状体Ｃの伸びは小さく、保持位置を極めて安定的に維持できる。また、乳幼児Ｓの動きに応じて伸縮性帯状体Ｄが伸縮する一方で、非伸縮性帯状体Ｃによってその大きな伸び変形は制限されるため、乳幼児Ｓが動いても乳幼児Ｓの過剰な沈み込みが防止され、乳幼児Ｓの適切な保持位置を維持しやすい。さらに、伸縮性帯状体Ｄと非伸縮性帯状体Ｃを格子状に織り込むことで、表裏面が伸縮性帯状体Ｄ及び非伸縮性帯状体Ｃの２層構造となることから、一部が破断するという事態は少なく高い強度が確保される。このため、耐久性や安全性が高い。
【００７４】
特に、変形例１に係るベビースリング１００においても、幅方向Ｗに沿って複数本平行に配置された環状の周方向の長さ方向Ｌに対する伸縮性を有する伸縮性帯状体Ｄによって、環状の周方向の長さ方向Ｌに対して伸び変形することから、図７（ａ）に示すような縦抱きの状態に加え、図７（ｂ）に示すようなゆりかごのような横抱きの状態、所謂、バナナ抱きにおいても安定した抱き心地が得られ、好適である。
また、伸縮性帯状体Ｄに対して非伸縮性帯状体Ｃが格子状に織り込まれていることにより、伸縮性帯状体Ｄの過剰な伸び変形が制限されて荷重に対応した構成となり、見栄えの向上及び機能美も表象される。
【００７５】
そして、乳幼児Ｓを受ける乳幼児保持部１０に加え、乳幼児保持部１０に連続して形成され使用者Ｔの肩にかけられる支持部２０においても、環状の周方向の長さ方向Ｌに対する伸縮性を有する伸縮性帯状体Ｄに対して非伸縮性帯状体Ｃを格子状に織り込む構造としていることによって、乳幼児保持部１０に乳幼児Ｓが収容された際、乳幼児Ｓの重みで伸縮性を有する伸縮性帯状体Ｄが環状の周方向の長さ方向Ｌに伸び変形し、全体の環状の長さが変化して、使用者Ｔの体格や種々の抱持方法に応じた乳幼児Ｓの保持位置とすることができる
【００７６】
また、ベビースリング１００全体の形成を、伸縮性を有する伸縮性帯状体Ｄに対して非伸縮性帯状体Ｃが格子状に織り込まれた構成とすることで、ベビースリング１００の全体に亘って安定した張力を与えることができ、支持部２０が肩からずれにくくなる。特に、伸縮性を有する伸縮性帯状体Ｄによって長さ方向Ｌへの伸びが適当に存在することから、使用者Ｔの肩にもフィットしてずれにくく、肩に加わる乳幼児Ｓの体重も分散されて使用者Ｔの負担が軽減される。
このとき、支持部２０においても、伸縮性帯状体Ｄに対して格子状に織り込んだ非伸縮性帯状体Ｃによって、伸縮性帯状体Ｄの過剰な伸び変形が制限されることから、長時間の連続使用で、支持部２０の収縮性が弱まり伸び変形が大きくなって、支持部２０と連続形成されている乳幼児保持部１０に収容された乳幼児Ｓの保持位置が次第に下降し、使用者Ｔへの負担が大きくなってしまう事態が防止され、安定的な保持が可能である。
【００７７】
また、変形例１に係るベビースリング１００においても、図９に示すように、環状の周方向の長さ方向Ｌに対して直角方向の幅方向Ｗ両縁に伸縮性のないパイピング３０によりパイピング処理が施されている。このため、乳幼児保持部１０に乳幼児Ｓの重みが加えられた際、各伸縮性帯状体Ｄにおいて、幅方向Ｗの中央側の伸び変形と比較し、幅方向Ｗ両側の伸び変形は抑制される。これにより、幅方向Ｗの中央側が乳幼児Ｓの重みで沈み易く、中央側に乳幼児Ｓの安定した安定した位置が保持できる重心位置がくるから、保持安定性が増し、乳幼児保持部１０で乳幼児Ｓの安定した受けができる。また、パイピング処理により、伸縮性帯状体Ｄや非伸縮性帯状体Ｃのほつれが防止され、機械的強度も向上し、さらに、意匠性や装飾的効果が増大し、製品としての見栄えが向上して消費者の購買意欲を増大させることもできる。
【００７８】
このように、本変形例１に係るベビースリング１００においても、伸縮性帯状体Ｄに対して非伸縮性帯状体Ｃが格子状に織り込まれていることによって荷重に対応した構成となり、乳幼児Ｓの身体に対するフィット性が高く、かつ、長時間の使用でも乳幼児Ｓの適切な保持位置を維持できる。
なお、パイピング処理により、乳幼児保持部１０の両側が伸びなくて、伸縮性帯状体Ａが伸びるから、乳幼児はパイピング３０の位置よりも深く沈み込むことができるから、使い勝手の良い、安定したベビースリング１となる。
【００７９】
［実施の形態２］
次に、本発明の実施の形態２に係るベビースリングについて、図１０乃至図１２を参照して説明する。
本発明の実施の形態２において、実施の形態１との相違点は、図１０乃至図１２に示すように、環状の周方向の長さ方向Ｌに沿って伸縮性のない非伸縮性帯状体Ｅを複数本平行に配置し、この非伸縮性帯状体Ｅに対し、その長さ方向Ｌに直角な幅方向Ｗに対する伸縮性βを有する伸縮性帯状体Ｆを幅方向Ｗに沿って複数本平行に格子状に織り込んで形成した点にある。その他は、実施の形態１と同じであるから、その説明を省略する。
【００８０】
即ち、図１０乃至図１２において、本実施の形態２に係るベビースリング２００は、環状の周方向の長さ方向Ｌに沿って複数本平行に配置した伸縮性のない非伸縮性帯状体Ｅに対して、その長さ方向Ｌに直角な幅方向Ｗに対する伸縮性βを有する伸縮性帯状体Ｆを長さ方向Ｌに直角な幅方向Ｗに沿って複数本平行に格子状に織り込んで、かつ、非伸縮性糸Ｕ（Ｕ1，Ｕ2，Ｕ3，・・・Ｕn）によって非伸縮性帯状体Ｅ（Ｅ1，Ｅ2，Ｅ3，・・・Ｅn）を伸縮性帯状体Ｆの長さ方向に対して直角、即ち、非伸縮性帯状体Ｅの長さ方向に平行して縫製した乳幼児Ｓが収容される乳幼児保持部１０と、乳幼児保持部１０の環状の周方向の長さ方向Ｌの両端から一体に連続して、長さ方向Ｌに沿って複数本平行に配置した伸縮性のない非伸縮性帯状体Ｅ及び長さ方向Ｌに直角な幅方向Ｗに沿って複数本平行に配置した幅方向Ｗに対する伸縮性βを有する伸縮性帯状体Ｆが格子状に織り込まれて形成され、使用者Ｔの肩に掛けられて乳幼児保持部１０に収容される乳幼児Ｓを支持する支持部２０を具備するものである。
【００８１】
このように構成された本実施の形態２のベビースリング２００においても、乳幼児Ｓを保持する使用者Ｔにたすき掛けされ、支持部２０が使用者Ｔの片肩に掛けられて肩当部２１が使用者Ｔの片肩に当てられることによって、乳幼児保持部１０に収容された乳幼児Ｓの体重が使用者Ｔの片肩で支持され、乳幼児保持部１０にて乳幼児Ｓが保持される。
【００８２】
そして、本実施の形態２のベビースリング２００は、乳幼児Ｓを受ける乳幼児保持部１０において、環状の周方向の長さ方向Ｌに沿って複数本平行に配置した伸縮性のない非伸縮性帯状体Ｅに対し、その長さ方向Ｌに直角な幅方向Ｗに対する伸縮性βを有する伸縮性帯状体Ｆが長さ方向Ｌに直角な幅方向Ｗに沿って複数本平行に格子状に織り込まれて形成されていることから、乳幼児保持部１０に収容された乳幼児Ｓの重みで伸縮性βを有する伸縮性帯状体Ｆが幅方向Ｗに伸び変形して乳幼児Ｓの姿勢や体型に合わせてフィットし、保持安定性が高く、安定した抱き心地が得られる。特に、幅方向Ｗに対して伸縮性βを有する伸縮性帯状体Ｆが幅方向Ｗに沿って配置されているため、幅方向Ｗに対する伸縮性が連続的であり、乳幼児Ｓの身体へのフィット性が高い。一方で、伸縮性帯状体Ｆに対して非伸縮性帯状体Ｅが格子状に織り込まれていることによって、伸縮性帯状体Ｆの過剰な伸び変形が確実に制限される。
【００８３】
また、本実施の形態のベビースリングは、非伸縮性糸Ｕ（Ｕ1，Ｕ2，Ｕ3，・・・Ｕi）によって伸縮性帯状体Ｆと非伸縮性帯状体Ｅを縫製しているが、当該縫製をしなくともベビースリング１として機能する。しかし、非伸縮性糸Ｕによって非伸縮性帯状体Ｅを伸縮性帯状体Ｆの長さ方向に対して直角に縫製すると、伸縮性帯状体Ｆに対して伸縮自在となり、その長さ方向Ｌに伸縮性のない非伸縮性帯状体Ｅを伸縮しないようにした場合には、非伸縮性糸Ｕは、環状の周方向の長さ方向Ｌに対する直角方向の伸縮のみを自在とするから、伸縮性帯状体Ｆと伸縮性のない非伸縮性帯状体Ｅが交差するようなもつれた状態にならない。
【００８４】
これにより、長時間の連続使用で、乳幼児保持部１０を構成する伸縮性帯状体Ｆの収縮性が徐々に弱まり伸びが大きくなって、乳幼児Ｓの保持位置が次第に下降して使用者Ｔへの負担が大きくなってしまう事態が防止され、安定的な保持が可能である。また、乳幼児Ｓの動きに応じて伸縮性帯状体Ｆが伸縮する一方で、非伸縮性帯状体Ｅによってその大きな伸び変形は制限されるため、乳幼児Ｓが動いても乳幼児Ｓの過剰な沈み込みが防止され、乳幼児Ｓの適切な保持位置を維持しやすい。さらに、伸縮性帯状体Ｆと非伸縮性帯状体Ｅを格子状に織り込むことで、表裏面が伸縮性帯状体Ｆ及び非伸縮性帯状体Ｅの２層構造となることから、一部が破断するという事態は少なく高い強度が確保されている。このため、耐久性や安全性が高い。
【００８５】
特に、本実施の形態２のベビースリング２００においては、環状の周方向の長さ方向Ｌに対して直角な幅方向Ｗに沿って複数本平行に配置した幅方向Ｗに対する伸縮性を有する伸縮性帯状体Ｆによって、幅方向Ｗに対して伸び変形し乳幼児Ｓの身体にフィットすることから、図７（ａ）に示した縦抱きの状態に加え、図１２に示すような、環状の周方向の長さ方向Ｌに対して直角な幅方向Ｗに沿って乳幼児Ｓの全身を収容した横抱きの状態においては乳幼児Ｓの背面側にフィットして安定した抱き心地が得られ、好適である。
また、伸縮性帯状体Ｆに対して非伸縮性帯状体Ｅが格子状に織り込まれていることにより、伸縮性帯状体Ｆの過剰な伸び変形が制限されて荷重に対応した構成となり、見栄えの向上及び機能美も表象される。
【００８６】
また、本実施の形態２に係るベビースリング２００の乳幼児保持部１０においても、環状の周方向の長さ方向Ｌに対して直角方向の幅方向Ｗ両縁にパイピング処理によって伸縮性のない生地からなるパイピング３０が縫い付けられていることから、乳幼児保持部１０に乳幼児Ｓの重みが加えられた際、伸縮性帯状体Ｆにおいて、幅方向Ｗ中央側の幅方向Ｗに対する伸び変形と比較して、幅方向Ｗ両側の伸び変形は抑制される。これにより、幅方向Ｗの中央側が乳幼児Ｓの重みで沈み易く、中央側に乳幼児Ｓの安定した位置が保持できる重心位置がくるから、保持安定性が増し、乳幼児保持部１０で乳幼児Ｓの安定した受けができる。
さらに、幅方向Ｗ両縁にパイピング３０が縫い付けられていることによって、伸縮性帯状体Ｆや非伸縮性帯状体Ｅのほつれが防止され、機械的強度も向上する。また、意匠性や装飾的効果が増し、製品としての見栄えが向上して消費者の購買意欲を増大させることもできる。また、パイピング処理により、乳幼児保持部１０の両側が伸びなくて、伸縮性帯状体Ｆが伸びるから、乳幼児はパイピング３０の位置よりも深く沈み込むことができるから、使い勝手の良い、安定したベビースリング１となる。
【００８７】
さらにまた、本実施の形態２においても、ベビースリング２００を構成する全体、即ち、乳幼児Ｓを受ける乳幼児保持部１０に加え、乳幼児保持部１０に連続して形成され使用者Ｔの肩にかけられる支持部２０においても、幅方向Ｗに対する伸縮性を有する伸縮性帯状体Ｆに対して非伸縮性帯状体Ｅを格子状に織り込む構造としたことによって、伸縮性を有する伸縮性帯状体Ｆが幅方向Ｗに伸び変形し、使用者Ｔの肩にフィットしてずれにくく、安定したたすきがけを維持でき、また、肩に加わる荷重も分散されて使用者Ｔの負担が軽減される。
【００８８】
特に、ベビースリング２００全体の形成を、伸縮性βを有する伸縮性帯状体Ｆに対して非伸縮性帯状体Ｅが格子状に織り込まれた構成とすることで、ベビースリング１００の全体に亘って安定した張力を与えることができ、それによっても、支持部２０が肩からずれにくくなる。
加えて、長さ方向Ｌに対する直角方向の伸びが適当に存在するから、肩の形が特定されることなく、単位面積当たりの負担が軽減され、使用者Ｔの肩の疲れを低減させることができる。また、それが肩に当たっても特定の個所が痛くなる等の負担はなく、さらに、上腕骨周囲の厚い筋肉で形成された三角筋がある部位にフィットさせることもでき、頚部に近い個所での荷重負担を少なくし、疲れを軽減できて肩凝りが生じ難い使用も可能とする。
【００８９】
このように本実施の形態２のベビースリング２００においても、伸縮性帯状体Ｆに対して非伸縮性帯状体Ｅが格子状に織り込まれていることによって荷重に対応した構成となり、乳幼児Ｓの身体に対するフィット性が高く、かつ、長時間の使用でも乳幼児Ｓの適切な保持位置を維持できる。
【００９０】
次に、本実施の形態２の変形例１について、図１３及び図１４を用いて説明する。
即ち、前記実施の形態２では、非伸縮性糸Ｕ（Ｕ1，Ｕ2，Ｕ3，・・・Ｕi）によって伸縮性帯状体Ｇと非伸縮性帯状体Ｈを縫製しているが、当該縫製をしなくとも機能させることができる。
図１３及び図１４において、本実施の形態２の変形例１に係るベビースリング３００は、環状の周方向の長さ方向Ｌに沿って複数本平行に配置した、長さ方向Ｌに直角な幅方向Ｗに対する伸縮性βを有する伸縮性帯状体Ｇに対して、その長さ方向Ｌに直角な幅方向Ｗに沿って複数本平行に伸縮性のない伸縮性帯状体Ｈを格子状に織り込んで形成した、乳幼児Ｓが収容される乳幼児保持部１０と、乳幼児保持部１０の環状の周方向の長さ方向Ｌの両端から一体に連続して、長さ方向Ｌに沿って複数本平行に配置した長さ方向Ｌに直角な幅方向Ｗに対する伸縮性βを有する伸縮性帯状体Ｇ及び幅方向Ｗに沿って複数本平行に配置した伸縮性のない非伸縮性帯状体Ｈが格子状に織り込まれて形成され、使用者Ｔの肩に掛けられて乳幼児保持部１０に収容される乳幼児Ｓを支持する支持部２０を具備するものである。
なお、この実施の形態２の変形例１においても、非伸縮性糸Ｕによって伸縮性帯状体Ｇを非伸縮性帯状体Ｈの長さ方向に対して縫製すると、形状の安定性及び見栄えが良くなる効果がある。
【００９１】
この変形例１に係るベビースリング３００においても、乳幼児Ｓを受ける乳幼児保持部１０にて、環状の周方向の長さ方向Ｌに沿って複数本平行に配置した、長さ方向Ｌに直角な幅方向Ｗに対する伸縮性βを有する伸縮性帯状体Ｇに対し、伸縮性のない非伸縮性帯状体Ｈが長さ方向Ｌに直角な幅方向Ｗに沿って複数本平行に格子状に織り込まれて形成されていることから、乳幼児保持部１０に収容された乳幼児Ｓの重みで伸縮性βを有する伸縮性帯状体Ｇが幅方向Ｗに伸び変形して乳幼児Ｓの姿勢や体型に合わせてフィットし、保持安定性が高く、安定した抱き心地が得られる。一方で、伸縮性帯状体Ｇに対して非伸縮性帯状体Ｈが格子状に織り込まれていることによって、伸縮性帯状体Ｇの過剰な伸び変形が制限される。
【００９２】
これにより、長時間の連続使用で、乳幼児保持部１０を構成する伸縮性帯状体Ｇの収縮性が徐々に弱まり伸びが大きくなって、乳幼児Ｓの保持位置が次第に下降して使用者Ｔへの負担が大きくなってしまう事態が防止され、安定的な保持が可能である。特に、幅方向Ｗに対して伸縮性βを有する伸縮性帯状体Ｇが環状の周方向の長さ方向Ｌに沿って配置されているため、幅方向Ｗに対する伸縮性は断続的なものであることから、長時間の連続使用による伸縮性帯状体Ｇの伸びは小さく、保持位置を極めて安定的に維持できる。また、乳幼児Ｓの動きに応じて伸縮性帯状体Ｇが伸縮する一方で、非伸縮性帯状体Ｆによってその大きな伸び変形は制限されるため、乳幼児Ｓが動いても乳幼児Ｓの過剰な沈み込みが防止され、乳幼児Ｓの適切な保持位置を維持しやすい。さらに、伸縮性帯状体Ｇと非伸縮性帯状体Ｈを格子状に織り込むことで、表裏面が伸縮性帯状体Ｇ及び非伸縮性帯状体Ｈの２層構造となることから、一部が破断するという事態は少なく高い強度が確保される。このため、耐久性や安全性が高い。
【００９３】
特に、本変形例１のベビースリング２００においても、幅方向Ｗに対する伸縮性を有する伸縮性帯状体Ｇによって、幅方向Ｗに対して伸び変形し乳幼児Ｓの身体にフィットすることから、図７（ａ）に示した縦抱きの状態に加え、図１２に示したように、環状の周方向の長さ方向Ｌに対して直角な幅方向Ｗに沿って乳幼児Ｓの全身を収容した横抱きの状態においては乳幼児Ｓの背面側にフィットして安定した抱き心地が得られ、好適である。
また、伸縮性帯状体Ｇに対して非伸縮性帯状体Ｈが格子状に織り込まれていることにより、伸縮性帯状体Ｇの過剰な伸び変形が制限されて荷重に対応した構成となり、見栄えの向上及び機能美も表象される。
【００９４】
加えて、本変形例１のベビースリング３００の乳幼児保持部１０においても、環状の周方向の長さ方向Ｌに対して直角方向の幅方向Ｗ両縁にパイピング処理によって伸縮性のない生地からなるパイピング３０が縫い付けられていることから、乳幼児保持部１０に乳幼児Ｓの重みが加えられた際、幅方向Ｗにおいて中央側に位置する伸縮性帯状体Ｇの幅方向Ｗへの伸び変形と比較して、幅方向Ｗ両側に位置する伸縮性帯状体Ｇの伸び変形は抑制される。これにより、幅方向Ｗの中央側が乳幼児Ｓの重みで沈み易く、中央側に乳幼児Ｓの安定した位置が保持できる重心位置がくるから、保持安定性が増し、乳幼児保持部１０で乳幼児Ｓの安定した受けができる。
さらに、幅方向Ｗ両縁にパイピング３０が縫い付けられていることによって、伸縮性帯状体Ｇや非伸縮性帯状体Ｈのほつれが防止され、機械的強度も向上する。また、意匠性や装飾的効果が増し、製品としての見栄えが向上して消費者の購買意欲を増大させることもできる。また、パイピング処理により、乳幼児保持部１０の両側が伸びなくて、伸縮性帯状体Ｇが伸びるから、乳幼児はパイピング３０の位置よりも深く沈み込むことができるから、使い勝手の良い、安定したベビースリング１となる。
【００９５】
さらに、乳幼児Ｓを受ける乳幼児保持部１０に加え、乳幼児保持部１０に連続して形成され使用者Ｔの肩にかけられる支持部２０においても、幅方向Ｗに対して伸縮性βを有する伸縮性帯状体Ｇに対して非伸縮性帯状体Ｈを格子状に織り込む構造としたことによって、伸縮性βを有する伸縮性帯状体Ｇが幅方向Ｗに伸び変形し、使用者Ｔの肩にもフィットしてずれにくく、安定したたすきがけを維持でき、また、肩に加わる荷重も分散されて使用者Ｔの負担が軽減される。特に、ベビースリング３００全体の形成を、伸縮性βを有する伸縮性帯状体Ｇに対して非伸縮性帯状体Ｈを格子状に織り込んだ構成とすることで、ベビースリング１００の全体に亘って安定した張力を与えることができ、それによっても、支持部２０が肩からずれにくくなる。
【００９６】
加えて、長さ方向Ｌに対する直角方向の伸びが適当に存在するから、肩の形が特定されることなく、単位面積当たりの負担が軽減され、使用者Ｔの肩の疲れを低減させることができる。また、それが肩に当たっても特定の個所が痛くなる等の負担はなく、さらに、上腕骨周囲の厚い筋肉で形成された三角筋がある部位にフィットさせることもでき、頚部に近い個所での荷重負担を少なくし、疲れを軽減できて肩凝りが生じ難い使用も可能とする。
【００９７】
このように、本変形例２のベビースリング３００においても、伸縮性帯状体Ｇに対して非伸縮性帯状体Ｈが格子状に織り込まれていることによって荷重に対応した構成となり、乳幼児Ｓの身体に対するフィット性が高く、かつ、長時間の使用でも乳幼児Ｓの適切な保持位置を維持できる。
【００９８】
［実施の形態３］
次に、本発明の実施の形態３に係るベビースリングについて、図１５及び図１６を参照して説明する。
本発明の実施の形態３において、実施の形態１との相違点は、図１５及び図１６に示すように、環状の周方向の長さ方向Ｌ及びその長さ方向Ｌに直角な幅方向Ｗに対する伸縮性αを有する伸縮性帯状体Ｉを、環状の周方向の長さ方向Ｌに沿って複数本平行に配置し、この伸縮性帯状体Ｉに対し、伸縮性βを有する伸縮性帯状体Ｊを幅方向Ｗに沿って複数本平行に格子状に織り込んで形成したこと。及び、伸縮性糸Ｘ（Ｘ1，Ｘ2，Ｘ3，・・・Ｘi）によって伸縮性帯状体Ｉの長さ方向に対して直角に伸縮性帯状体Ｊを縫製し、伸縮性糸Ｙ（Ｙ1，Ｙ2，Ｙ3，・・・Ｙn）によって伸縮性帯状体Ｉの長さ方向に対して伸縮性帯状体Ｊを縫製して一体とし、伸縮性帯状体Ｉに対しも、伸縮性帯状体Ｊに対しても伸縮自在としたものである。ここで、伸縮性帯状体Ｉの伸縮性α、伸縮性帯状体Ｊの伸縮性βは、α＝β、α＞β、α＜βの何れであってもよい。
その他は、実施の形態１と同じであるから、その説明を省略する。
【００９９】
即ち、図１５及び図１６において、本実施の形態３に係るベビースリング４００は、環状の周方向の長さ方向Ｌに沿って複数本平行に配置した、環状の周方向の長さ方向Ｌに対する伸縮性αを有する伸縮性帯状体Ｉ及びその長さ方向Ｌに直角な幅方向Ｗに対する伸縮性βを有する伸縮性帯状体Ｊに対して複数本平行に格子状に織り込んで、かつ、伸縮性糸Ｙによって伸縮性帯状体Ｉの長さ方向に対して伸縮性帯状体Ｊを直角、及び伸縮性糸Ｙによって伸縮性帯状体Ｊを伸縮性帯状体Ｉの長さ方向に対して平行に縫製した乳幼児Ｓが収容される乳幼児保持部１０と、乳幼児保持部１０の環状の周方向の長さ方向Ｌの両端から一体に連続して、長さ方向Ｌに沿って複数本平行に配置した長さ方向Ｌに対する伸縮性を有する伸縮性帯状体Ｉ及びそれに直角な幅方向Ｗに対する伸縮性を有する伸縮性帯状体Ｊが格子状に織り込まれて形成され、使用者Ｔの肩に掛けられて乳幼児保持部１０に収容される乳幼児Ｓを支持する支持部２０を具備するものである。
【０１００】
このように構成された本実施の形態３のベビースリング４００においても、乳幼児Ｓを保持する使用者Ｔにたすき掛けされ、支持部２０が使用者Ｔの片肩に掛けられて肩当部２１が使用者Ｔの片肩に当てられることによって、乳幼児保持部１０に収容された乳幼児Ｓの体重が使用者Ｔの片肩で支持され、乳幼児保持部１０にて乳幼児Ｓが保持される。
【０１０１】
そして、本実施の形態３のベビースリング４００は、乳幼児Ｓを受ける乳幼児保持部１０において、環状の周方向の長さ方向Ｌに沿って複数本平行に配置した長さ方向Ｌに対する伸縮性αを有する伸縮性帯状体Ｉ及びその長さ方向Ｌに直角な幅方向Ｗに対する伸縮性βを有する伸縮性帯状体Ｊに対して、伸縮性αを有する伸縮性帯状体Ｉがその長さ方向Ｌに直角な幅方向Ｗに沿って複数本平行に伸縮性βを有する伸縮性帯状体Ｊを格子状に織り込まれて形成されていることから、乳幼児保持部１０に収容された乳幼児Ｓの重みで伸縮性を有する伸縮性帯状体Ｉ及び伸縮性帯状体Ｊが環状の周方向の長さ方向Ｌ及びその直角方向の幅方向Ｗに伸びて変形して乳幼児Ｓの姿勢や体型に合わせてフィットし、保持安定性が高く、安定した抱き心地が得られる。特に、伸縮性帯状体Ｉによって長さ方向Ｌにも伸縮性帯状体Ｊによって幅方向Ｗにも広がることで、より立体的に変形しフィット性が高まり、横抱き、縦抱き等何れの保持形態でも安定した抱き心地が得られる。格別、長さ方向Ｌ及び幅方向Ｗに伸縮性を有する伸縮性帯状体Ｉ及び伸縮性帯状体Ｊは環状の周方向の長さ方向Ｌに沿って配置されているため、環状の周方向の長さ方向Ｌに対する伸縮性α及び伸縮性帯状体Ｊの伸縮性βが連続的であり、環状の周方向の長さ方向Ｌにおいて、乳幼児Ｓの身体へのフィット性が高い。一方で、伸縮性帯状体Ｉに対して非伸縮性帯状体Ｊが格子状に織り込まれていることによって、伸縮性帯状体Ｉの過剰な伸び変形が制限される。
【０１０２】
これにより、長時間の連続使用で、乳幼児保持部１０を構成する伸縮性帯状体Ｉの収縮性が徐々に弱まり伸びが大きくなって、乳幼児Ｓの保持位置が次第に下降して使用者Ｔへの負担が大きくなってしまう事態が防止され、安定的な保持が可能である。また、乳幼児Ｓの動きに応じて伸縮性帯状体Ｉが伸縮する一方で、伸縮性帯状体Ｊによってその大きな伸び変形は制限されるため、乳幼児Ｓが動いても、乳幼児Ｓの過剰な沈み込みが防止され、乳幼児Ｓの適切な保持位置を維持しやすい。特に、長さ方向Ｌ及び幅方向Ｗに伸縮性α及び伸縮性βを有する伸縮性帯状体Ｉ及び伸縮性帯状体Ｊは環状の周方向の長さ方向Ｌに沿って配置されているため、幅方向Ｗに対する伸縮性は軽いものであることから、長時間の連続使用による伸縮性帯状体Ｇの幅方向Ｗへの伸びが小さく、保持位置を極めて安定的に維持できる。さらに、伸縮性帯状体Ｉと非伸縮性帯状体Ｊを格子状に織り込むことで、表裏面が伸縮性帯状体Ｉ及び伸縮性帯状体Ｊの２層構造となることから、一部が破断するという事態は少なく高い強度が確保されている。また、伸縮性帯状体Ｉに対して伸縮性帯状体Ｊが格子状に織り込まれていることにより、伸縮性帯状体Ｉ及び伸縮性帯状体Ｊの過剰な伸び変形が制限されて荷重に対応した構成となり、見栄えの向上及び機能美も表象される。
【０１０３】
加えて、本実施の形態３のベビースリング４００の乳幼児保持部１０においても、環状の周方向の長さ方向Ｌに対して直角方向の幅方向Ｗ両縁にパイピング処理によって伸縮性のない生地からなるパイピング３０が縫い付けられていることから、乳幼児保持部１０に乳幼児Ｓの重みが加えられた際、幅方向Ｗにおいて中央側に位置する伸縮性帯状体Ｉの長さ方向Ｌ及び幅方向Ｌへの伸び変形と比較して、幅方向Ｗ両側に位置する伸縮性帯状体Ｉの伸び変形は抑制される。これにより、幅方向Ｗの中央側が乳幼児Ｓの重みで沈み易く、中央側に乳幼児Ｓの安定した位置が保持できる重心位置がくるから、保持安定性が増し、乳幼児保持部１０で乳幼児Ｓの安定した受けができる。
さらに、幅方向Ｗ両縁にパイピング３０が縫い付けられていることによって、伸縮性帯状体Ｉや非伸縮性帯状体Ｊのほつれが防止され、機械的強度も向上する。また、意匠性や装飾的効果が増し、製品としての見栄えが向上して消費者の購買意欲を増大させることもできる。また、パイピング処理により、乳幼児保持部１０の両側が伸びなくて、伸縮性帯状体Ｉが伸びるから、乳幼児はパイピング３０の位置よりも深く沈み込むことができるから、使い勝手の良い、安定したベビースリング１となる。
【０１０４】
そして、本実施の形態３においては、ベビースリング４００を構成する全体を、即ち、乳幼児Ｓを受ける乳幼児保持部１０に加え、乳幼児保持部１０に連続して形成され使用者Ｔの肩にかけられる支持部２０においても、環状の周方向の長さ方向Ｌ及びそれに直角な幅方向に対する伸縮性を有する伸縮性帯状体Ｉに対して伸縮性βを有する伸縮性帯状体Ｊを格子状に織り込む構造としたことによって、伸縮性を有する伸縮性帯状体Ｉ及び伸縮性帯状体Ｊが長さ方向Ｌ及び幅方向Ｗに伸び変形し、使用者Ｔの肩にフィットしてずれにくく、安定したたすきがけを維持でき、また、肩に加わる荷重も分散されて使用者Ｔの負担が軽減される。特に、ベビースリング４００全体の形成を、伸縮性を有する伸縮性帯状体Ｉに対して伸縮性帯状体Ｊが格子状に織り込まれた構成とすることで、ベビースリング１００の全体に亘って安定した張力を与えることができ、それによっても、支持部２０が肩からずれにくくなる。
【０１０５】
加えて、伸縮性帯状体Ｉによって長さ方向Ｌに対する直角方向の伸びが適当に存在するから、肩の形が特定されることなく、単位面積当たりの負担が軽減され、使用者Ｔの肩の疲れを低減させることができる。また、それが肩に当たっても特定の個所が痛くなる等の負担はなく、さらに、上腕骨周囲の厚い筋肉で形成された三角筋がある部位にフィットさせることもでき、頚部に近い個所での荷重負担を少なくし、疲れを軽減できて肩凝りが生じ難い使用も可能とする。
また、伸縮性帯状体Ｉが長さ方向Ｌに対しても伸び変形することで、全体の環状の長さが変化して、使用者Ｔの体格や種々の抱持方法に応じた乳幼児Ｓの保持位置とすることができる。
【０１０６】
そして、このとき、支持部２０においても、伸縮性帯状体Ｉに対して格子状に織り込んだ伸縮性帯状体Ｊによって、伸縮性帯状体Ｉの過剰な伸び変形が制限されることから、長時間の連続使用で、支持部２０を構成する伸縮性帯状体Ｉの長さ方向Ｌに対する収縮性が徐々に弱まり伸び変形が大きくなって、支持部２０と連続形成されている乳幼児保持部１０に収容された乳幼児Ｓの保持位置が次第に下降して使用者Ｔへの負担が大きくなってしまう事態が防止され、安定的な保持が可能である。
【０１０７】
このように本実施の形態３のベビースリング４００においても、伸縮性帯状体Ｉに対して伸縮性帯状体Ｊが格子状に織り込まれていることによって荷重に対応した構成となり、乳幼児Ｓの身体に対するフィット性が高く、かつ、長時間の使用でも乳幼児Ｓの適切な保持位置を維持できる。
【０１０８】
次に、本実施の形態３の変形例１について、図１７及び図１８を用いて説明する。
即ち、前記実施の形態３では、伸縮性糸Ｘ、伸縮性糸Ｙによって伸縮性帯状体Ｉと伸縮性帯状体Ｊを縫製しているが、当該縫製をしなくとも機能させることができる。
図１７及び図１８において、本実施の形態３の変形例１に係るベビースリング５００は、環状の周方向の長さ方向Ｌに沿って複数本平行に配置した伸縮性βを有する伸縮性帯状体Ｋに対して、環状の周方向の長さ方向Ｌ及びそれに直角な幅方向Ｗに対する伸縮性αを有する伸縮性帯状体Ｋ及び伸縮性βを有する伸縮性帯状体Ｍを複数本平行に格子状に織り込んで形成した乳幼児Ｓが収容される乳幼児保持部１０と、乳幼児保持部１０の環状の周方向の長さ方向Ｌの両端から一体に連続して、長さ方向Ｌに沿って複数本平行に配置した伸縮性のない伸縮性帯状体Ｋ及びそれに直角な幅方向Ｗに沿って複数本平行に配置した長さ方向Ｌ及び幅方向Ｗに対する伸縮性αを有する伸縮性帯状体Ｋ及び伸縮性βを有する伸縮性帯状体Ｍが格子状に織り込まれて形成され、使用者Ｔの肩に掛けられて乳幼児保持部１０に収容される乳幼児Ｓを支持する支持部２０を具備するものである。
【０１０９】
この変形例１に係るベビースリング５００においても、乳幼児Ｓを受ける乳幼児保持部１０にて、環状の周方向の長さ方向Ｌに沿って複数本平行に配置した伸縮性を有する伸縮性帯状体Ｋに対し、環状の周方向の長さ方向Ｌ及びそれに直角な幅方向Ｗに対する伸縮性α及び伸縮性βを有する伸縮性帯状体Ｍが幅方向Ｗに沿って複数本平行に格子状に織り込まれて形成されていることから、乳幼児保持部１０に収容された乳幼児Ｓの重みで伸縮性α及び伸縮性βを有する伸縮性帯状体Ｍが環状の周方向の長さ方向Ｌ及びそれに直角な幅方向Ｗに伸び変形して乳幼児Ｓの姿勢や体型に合わせてフィットし、保持安定性が高く、安定した抱き心地が得られる。特に、伸縮性帯状体Ｍによって長さ方向Ｌにも伸縮性帯状体Ｋによって幅方向Ｗにも広がることで、より立体的に変形しフィット性が高まり、横抱き、縦抱き等何れの保持形態でも安定した抱き心地が得られる。格別、長さ方向Ｌ及び幅方向Ｗに伸縮性α及び伸縮性βを有する伸縮性帯状体Ｋ及び伸縮性帯状体Ｍは、幅方向Ｗにおける乳幼児Ｓの身体へのフィット性が高い。一方で、伸縮性帯状体Ｍに対して伸縮性帯状体Ｋが格子状に織り込まれていることによって、伸縮性帯状体Ｍの過剰な伸び変形が伸縮性帯状体Ｋによって制限される。
【０１１０】
これにより、長時間の連続使用で、乳幼児保持部１０を構成する伸縮性帯状体Ｍの収縮性が徐々に弱まり伸びが大きくなって、乳幼児Ｓの保持位置が次第に下降して使用者Ｔへの負担が大きくなってしまう事態が防止され、安定的な保持が可能である。特に、長さ方向Ｌ及び幅方向Ｗに伸縮性α及び伸縮性βを有する伸縮性帯状体Ｍが幅方向Ｗに沿って配置されているため、長さ方向Ｌに対する伸縮性は断続的なものであることから、長時間の連続使用による長さ方向Ｌに対する伸縮性帯状体Ｍの伸びは小さく、保持位置を極めて安定的に維持できる。また、乳幼児Ｓの動きに応じて伸縮性帯状体Ｍが伸縮する一方で、伸縮性帯状体Ｋによってその大きな伸び変形は制限されるため、乳幼児Ｓが動いても乳幼児Ｓの過剰な沈み込みが防止され、乳幼児Ｓの適切な保持位置を維持しやすい。さらに、伸縮性帯状体Ｍと伸縮性帯状体Ｋを格子状に織り込むことで、表裏面が伸縮性帯状体Ｍ及び伸縮性帯状体Ｋの２層構造となることから、一部が破断するという事態は少なく高い強度が確保されている。このため、耐久性や安全性が高い。
また、伸縮性帯状体Ｍに対して伸縮性帯状体Ｋが格子状に織り込まれていることにより、伸縮性帯状体Ｍの過剰な伸び変形が制限されて荷重に対応した構成となり、見栄えの向上及び機能美も表象される。
【０１１１】
加えて、本変形例１のベビースリング５００の乳幼児保持部１０においても、環状の周方向の長さ方向Ｌに対して直角方向の幅方向Ｗ両縁にパイピング処理によって伸縮性のない生地からなるパイピング３０が縫い付けられていることから、乳幼児保持部１０に乳幼児Ｓの重みが加えられた際、伸縮性帯状体Ｍにおいて、幅方向Ｗ中央側の長さ方向Ｌ及び幅方向Ｗへの伸び変形と比較して、幅方向Ｗ両側の伸び変形は抑制される。これにより、幅方向Ｗの中央側が乳幼児Ｓの重みで沈み易く、中央側に乳幼児Ｓの安定した位置が保持できる重心位置がくるから、保持安定性が増し、乳幼児保持部１０で乳幼児Ｓの安定した受けができる。
さらに、幅方向Ｗ両縁にパイピング３０が縫い付けられていることによって、伸縮性帯状体Ｍや伸縮性帯状体Ｋのほつれが防止され、機械的強度も向上する。また、意匠性や装飾的効果が増し、製品としての見栄えが向上して消費者の購買意欲を増大させることもできる。また、パイピング処理により、乳幼児保持部１０の両側が伸びなくて、伸縮性帯状体Ｋが伸びるから、乳幼児はパイピング３０の位置よりも深く沈み込むことができるから、使い勝手の良い、安定したベビースリング１となる。
【０１１２】
そして、ベビースリング５００を構成する全体を、即ち、乳幼児Ｓを受ける乳幼児保持部１０に加え、乳幼児保持部１０に連続して形成され使用者Ｔの肩にかけられる支持部２０においても、長さ方向Ｌ及び幅方向Ｗに対する伸縮性α及び伸縮性βを有する伸縮性帯状体Ｋ及び伸縮性帯状体Ｍは、伸縮性帯状体Ｍに対して伸縮性帯状体Ｋを格子状に織り込んだ構造としたことによって、伸縮性を有する伸縮性帯状体Ｍが長さ方向Ｌ及び幅方向Ｗに伸び変形し、使用者Ｔの肩にフィットしてずれにくく、安定したたすきがけを維持でき、また、肩に加わる荷重も分散されて使用者Ｔの負担が軽減される。特に、ベビースリング５００全体の形成を、伸縮性α及び伸縮性βを有する伸縮性帯状体Ｍに対して伸縮性帯状体Ｋが格子状に織り込まれた構成とすることで、ベビースリング５００の全体に亘って安定した張力を与えることができ、それによっても、支持部２０が肩からずれにくくなる。
【０１１３】
加えて、伸縮性帯状体Ｍによって長さ方向Ｌに対する直角方向の伸びが適当に存在するから、肩の形が特定されることなく、単位面積当たりの負担が軽減され、使用者Ｔの肩の疲れを低減させることができる。また、それが肩に当たっても特定の個所が痛くなる等の負担はなく、さらに、上腕骨周囲の厚い筋肉で形成された三角筋がある部位にフィットさせることもでき、頚部に近い個所での荷重負担を少なくし、疲れを軽減できて肩凝りが生じ難い使用も可能とする。
また、伸縮性帯状体Ｍが長さ方向Ｌに対しても伸び変形することで、全体の環状の長さが変化して、使用者Ｔの体格や種々の抱持方法に応じた乳幼児Ｓの保持位置とすることができる。そして、このとき、支持部２０においても、伸縮性帯状体Ｍに対して格子状に織り込んだ非伸縮性帯状体Ｋによって、伸縮性帯状体Ｍの過剰な伸び変形が制限されることから、長時間の連続使用で、支持部２０を構成する伸縮性帯状体Ｍの長さ方向Ｌに対する伸縮性αが徐々に弱まり伸び変形が大きくなって、支持部２０と連続形成されている乳幼児保持部１０に収容された乳幼児Ｓの保持位置が次第に下降して使用者Ｔへの負担が大きくなってしまう事態が防止され、安定的な保持が可能である。
【０１１４】
このように、本変形例３のベビースリング５００においても、伸縮性帯状体Ｍに対して非伸縮性帯状体Ｋが格子状に織り込まれていることによって荷重に対応した構成となり、乳幼児Ｓの身体に対するフィット性が高く、かつ、長時間の使用でも乳幼児Ｓの適切な保持位置を維持できる。
【０１１５】
上記実施の形態では、格子状に織り込まれた伸縮性帯状体Ａ，Ｃ，Ｅ，Ｇと非伸縮性帯状体Ｂ，Ｄ，Ｆ，Ｈまたは伸縮性帯状体Ｉ，Ｋと伸縮性帯状体Ｊ，Ｍとの縫製は、片側のみを非伸縮性糸Ｖ，Ｕで接続しているが、これらは伸縮をし易くするものであり、実施の形態３のように伸縮性糸Ｘ，Ｙを使用するものでは、帯状体の両側を縫製することもできる。また、片側のみの縫製であると熱がこもらないので、乳幼児の負担が軽減する。
そして、上記実施の形態では、帯状体を複数本平行に格子状に織り込んで形成したものであるが、それは、図示したように乳幼児保持部１０の形態であり、また、支持部２０のように帯状体を複数本平行に格子状に織り込んだ後に形態を変化させたものも含む意味である。
【符号の説明】
【０１１６】
１，１００，２００，３００，４００，５００  ベビースリング
１０    乳幼児保持部
２０    支持部
３０    パイピング
Ａ，Ｄ，Ｆ，Ｇ，Ｉ，Ｊ，Ｋ，Ｍ      伸縮性帯状体
Ｂ，Ｃ，Ｅ，Ｈ      非伸縮性帯状体
Ｖ，Ｕ        非伸縮性糸
Ｘ，Ｙ        伸縮性糸
Ｔ      使用者
Ｓ      乳幼児
α      伸縮性
β      伸縮性
【図１】
2015192706.tif 000003
【図２】
2015192706.tif 000004
【図３】
2015192706.tif 000005
【図４】
2015192706.tif 000006
【図５】
2015192706.tif 000007
【図６】
2015192706.tif 000008
【図７】
2015192706.tif 000009
【図８】
2015192706.tif 000010
【図９】
2015192706.tif 000011
【図１０】
2015192706.tif 000012
【図１１】
2015192706.tif 000013
【図１２】
2015192706.tif 000014
【図１３】
2015192706.tif 000015
【図１４】
2015192706.tif 000016
【図１５】
2015192706.tif 000017
【図１６】
2015192706.tif 000018
【図１７】
2015192706.tif 000019
【図１８】
2015192706.tif 000020